(57)【要約】  容器に異なる流動性製品を同時に充填するためのシステム及び方法を、開示する。システムは、流動性材料を容器に分配するための少なくとも１つのユニット操作ステーションに容器が配送されるように、送路システムに沿って、独立してルート設定可能な複数の搬送体を含む。容器は、他の容器とは成分、及び／又は少なくとも１つの成分の重量パーセントが異なる、１種以上の流動性材料を受け取る。
2019531981.tif 000002
【特許請求の範囲】
【請求項１】
異なる流動性材料を異なる容器に同時に分注するためのものであることを特徴とするシステムであって、当該システムは、
流動性材料を保持するための、少なくとも１つの第１の容器、及び少なくとも１つの第２の容器と、
該送路システムに沿って配置されたユニット操作ステーションを含む、送路システムと、
流動性材料を分注するための少なくとも１つの充填ユニット操作ステーションを含む、前記ユニット操作ステーションと、
前記送路システムに沿って推進可能な複数の搬送体であって、
第１の容器及び第２の容器が、同一又は異なる搬送体に配置され、
各搬送体は、前記第１の容器及び前記第２の容器が前記少なくとも１つの充填ユニット操作ステーションに配送されるように、前記送路システムに沿って、独立してルート設定可能である、複数の搬送体と、
を含み、
前記第１の容器及び前記第２の容器は、前記少なくとも１つの充填ユニット操作ステーションにより分配される１つ以上の流動性材料を受け入れ、前記少なくとも１つの充填ユニット操作ステーションは、前記第１の容器及び前記第２の容器中の第１の流動性組成物及び第２の流動性組成物は、以下の、
前記第１の容器中の前記流動性組成物と、前記第２の容器中の前記流動性組成物における、少なくとも１つの成分の有無又は種類が異なること、及び／又は、
前記第１の容器および前記第２の容器中の前記流動性組成物は、少なくとも１つの共通成分を有し、および、以下の関係、
（ａ）前記２種類の流動性組成物において、存在する量が多い方の前記成分の重量パーセントを、前記２種類の流動性組成物において、存在する量が少ない方の前記同一の成分の重量パーセントで割ることによって決定される、前記２種類の流動性組成物における前記同一の成分の重量パーセントの差が、約１．１以上であること、および、
（ｂ）前記第１の容器及び前記第２の容器の両方に共通する前記成分のうちの少なくとも１つの重量パーセントが、前記２種類の流動性組成物において少なくとも２％の量であり、前記２種類の流動性組成物における前記同一の成分の重量パーセントの差が、２％以上であること、
のうちの少なくとも一方が存在すること、
のうちの１つ以上において、互いに異なるように、流動性材料を分配するように構成されていることを特徴とするシステム。
【請求項２】
前記第１の容器は、ある容積、外観、及び形状を有し、前記第２の容器は、前記第１の容器の容積、外観、及び形状のうちの１つ以上と異なる、容積、外観、及び形状のうちの１つ以上をそれぞれ有することを特徴とする請求項１に記載のシステム。
【請求項３】
前記送路システムは、前記搬送体が磁石を含む、リニア同期モータシステムであり、前記搬送体は、電磁力を使用して前記送路システムに沿って推進可能であることを特徴とする請求項１に記載のシステム。
【請求項４】
前記送路システムは、
閉ループを形成した１次経路を画定する１次運送部と、
前記１次運送部から延び、入口位置及び出口位置にて前記１次経路と交差した２次経路を画定する２次運送部と、を含み、前記少なくとも１つの充填ユニット操作ステーションは、前記２次運送部に沿って配置されていることを特徴とする請求項１に記載のシステム。
【請求項５】
１つの充填ユニット操作ステーションは、前記第１の容器及び前記第２の容器に、異なる流動性材料を分配するように構成されたことを特徴とする請求項１に記載のシステム。
【請求項６】
２つ以上の充填ユニット操作ステーションを含み、前記２つ以上の充填ユニット操作ステーションのうちのいずれかは、他の充填ユニット操作ステーションにより分配される流動性材料とは異なる流動性材料を分配するように構成されたことを特徴とする請求項１に記載のシステム。
【請求項７】
前記第１の容器及び前記第２の容器は、同一搬送体に配置されていることを特徴とする請求項１に記載のシステム。
【請求項８】
前記第１の容器及び前記第２の容器は、異なる搬送体に配置されていることを特徴とする請求項１に記載のシステム。
【請求項９】
流動性材料を分配するための前記少なくとも１つのユニット操作ステーションは、流動性材料を分配するための複数のユニット操作ステーションを含み、ある充填ユニット操作ステーションにおいて第１の流動性材料が第１の容器へと、別の充填ユニット操作ステーションにおいて第２の流動性材料が第２の容器へと、独立して分配されるように、少なくとも２つの異なる搬送体について、異なるユニット操作ステーションへと同時にルート設定可能であり、前記第１の流動性材料と前記第２の流動性材料とは異なることを特徴とする請求項１に記載のシステム。
【請求項１０】
異なる流動性材料を異なる容器に同時に分配する方法であって、
（ａ）請求項１に記載のシステムを提供するステップと、
（ｂ）搬送体上に第１の空の容器を載せて、第１の容器を載せた搬送体を形成するステップと、
（ｃ）搬送体上に第２の空の容器を載せて、第２の容器を載せた搬送体を形成するステップと、
（ｄ）前記第１の容器を載せた搬送体を、第１の流動性材料を容器に分配するように構成された充填ユニット操作ステーションに送るステップと、
（ｅ）前記第２の容器を載せた搬送体を、第２の流動性材料を容器に分配するように構成された充填ユニット操作ステーションに送るステップであって、前記第１の流動性材料と前記第２の流動性材料とは異なる、該ステップと、
（ｆ）前記第１の流動性材料の前記第１の容器への分配と、前記第２の流動性材料の前記第２の容器への分配を、同時に行うステップと、
を含むことを特徴とする方法。
【発明の詳細な説明】
【技術分野】
【０００１】
以下に記載されたシステム及び方法は、一般的には、少なくとも１つの容器を１つ以上のユニット操作ステーションに運送するための送路システム及び方法に関する。
【背景技術】
【０００２】
高速容器充填システムは周知であり、多くの異なる産業で使用されている。このシステムの多くにおいて、流体は、一連のポンプ、加圧タンク及び流量計、流体充填ノズル、及び／又はバルブにより充填される容器に供給されて、正確な量の流体が容器に確実に分配されることを助けるようになっている。これらの高速容器システムは、典型的には、１種類の容器のみに１種類の流体を充填するように構成されているシステムである。異なる容器タイプ及び／又は異なる流体がシステムに望まれる場合、システムの構成を変更しなければならず（例えば、異なるノズル、異なるキャリアシステムなど）、これには、時間がかかり、費用がかかり、結果として、休止時間が増加するおそれがある。多様な製品ラインを消費者に提供するためには、製造業者は、高価で空間集約的であるおそれがある、多くの異なる高速容器システムを利用しなければならない。
【０００３】
また、これらの高速容器充填システムは、典型的には、容器及び／又は包装を手作業で取り扱うことなく、包装内での異なる容器及び容器の配置を提供することもできない。こうした手作業は、時間がかかり、高価で、多くの場合不正確であるおそれがある。
【０００４】
様々な特許公報に、物品取扱いシステム（必ずしも容器充填システムではない）が開示されている。これらとしては、米国特許第６，０１１，５０８号（Ｐｅｒｒｅａｕｌｔ  ｅｔ．ａｌ．）；同第６，１０１，９５２号（Ｔｈｏｒｎｔｏｎ  ｅｔ．ａｌ．）；同第６，４９９，７０１号（Ｃｈｏ）；同第６，５７８，４９５号（Ｙｉｔｔｓ  ｅｔ．ａｌ．）；同第６，７８１，５２４号（Ｃｌａｒｋ  ｅｔ．ａｌ．）；同第６，９１７，１３６号（Ｔｈｏｒｎｔｏｎ  ｅｔ．ａｌ．）；同第６，９８３，７０１号（Ｔｈｏｒｎｔｏｎ  ｅｔ．ａｌ．）；同第７，０１１，７２８（Ｂ２）号、同第７，２６４，４２６（Ｂ２）号（Ｂｕｔｔｒｉｃｋ，Ｊｒ．；Ｄｅｗｉｇ  ｅｔ．ａｌ．）；同第７，４４８，３２７号（Ｔｈｏｒｎｔｏｎ  ｅｔ．ａｌ．）；同第７，４５８，４５４号（Ｍｅｎｄｅｎｈａｌｌ）；同第８，５９１，７７９（Ｂ２）号（Ｓｅｎｎ  ｅｔ．ａｌ．）；同第９，０３２，８８０号；同第９，２３３，８００（Ｂ２）号（Ｓｅｎｎ  ｅｔ．ａｌ．）；米国特許出願公開第２０１５／００７９２２０（Ａ１）号（現在、米国特許第９，２８３，７０９（Ｂ２）号、Ｌｉｎｄｎｅｒ  ｅｔ．ａｌ．）；及び同第２０１６／１１４９８８（Ａ１）号並びに欧州特許第１６４５３４０（Ｂ１）号が挙げられる。改善された高速度容器充填システムについての研究が続けられている。
【先行技術文献】
【特許文献】
【０００５】
【特許文献１】米国特許第６，０１１，５０８号
【特許文献２】米国特許第６，１０１，９５２号
【特許文献３】米国特許第６，４９９，７０１号
【特許文献４】米国特許第６，５７８，４９５号
【特許文献５】米国特許第６，７８１，５２４号
【特許文献６】米国特許第６，９１７，１３６号
【特許文献７】米国特許第６，９８３，７０１号
【特許文献８】米国特許第７，０１１，７２８（Ｂ２）号
【特許文献９】米国特許第７，２６４，４２６（Ｂ２）号
【特許文献１０】米国特許第７，４４８，３２７号
【特許文献１１】米国特許第７，４５８，４５４号
【特許文献１２】米国特許第８，５９１，７７９（Ｂ２）号
【特許文献１３】米国特許第９，０３２，８８０号
【特許文献１４】米国特許第９，２３３，８００（Ｂ２）号
【特許文献１５】米国特許出願公開第２０１５／００７９２２０（Ａ１）号
【特許文献１６】米国特許第９，２８３，７０９（Ｂ２）号
【特許文献１７】米国特許第２０１６／１１４９８８（Ａ１）号
【特許文献１８】米国特許第１６４５３４０（Ｂ１）号
【発明の概要】
【発明が解決しようとする課題】
【０００６】
このため、改善されたトラフィック制御システムを有する充填システム及び容器を充填する方法を提供することが有益と考えられる。また、多用途であり、異なる容器に異なる流体を同時に充填し得る充填システム及び容器を充填する方法を提供することも有益と考えられる。また、手作業による包装を必要とせずにオーダーのオンデマンド履行を可能にする充填システム及び容器を充填する方法を提供することも有益と考えられる。
【課題を解決するための手段】
【０００７】
一実施形態によれば、流動性材料を保持するための複数の容器と、複数の容器用搬送体と、容器を載せた搬送体を推進可能な送路を含む送路システムと、を含む、システムが提供される。送路システムは、少なくとも１つの容器を載せた搬送体が待機パターンにて移動し得るように構成された閉ループを形成する送路を含む、１次経路を画定する、１次運送部を含む。送路システムは、１次運送部から延びており、かつ、入口位置及び出口位置において１次経路と交差する２次経路を画定する、少なくとも１つの２次運送部を更に含む。また、システムは、２次運送部に沿って配置され、容器を載せた搬送体の、少なくとも１つの容器又はその内容物に対して容器処理操作を行うように構成された、少なくとも１つのユニット操作ステーションも含む。複数の容器を載せた搬送体については、容器のうちの少なくともいくつかに対して容器処理操作を行うために、容器のうちの少なくともいくつかが、少なくとも１つのユニット操作ステーションに配送されるように、送路システムに沿って、独立してルート設定可能（routable）である。
【０００８】
別の実施形態によれば、複数の第１の容器と、複数の第２の容器と、送路システムと、送路システムに沿って配置された少なくとも２つのユニット操作ステーションと、送路システムに沿って推進可能な複数の搬送体と、を含む、システムが提供される。複数の第１の容器のそれぞれは、形状及び外観、開口部並びに流動性材料を保持するための容積を有する。複数の第２の容器のそれぞれは、形状、外観、開口部、及び流動性材料を保持するための容積を有する。第２の容器のそれぞれの形状、外観及び容積のうちの１つ以上が、第１の容器それぞれの形状、外観及び容積のうちの１つ以上とはそれぞれ異なる。第１の容器の１つ以上と第２の容器の１つ以上は、対応する搬送体上に配置されており、１つ以上の第１の容器及び第２の容器は、それらが対応する搬送体上に最初に配置されるようになった時点では空である。複数の搬送体は、異なるユニット操作ステーションへの第１の容器及び第２の容器の同時配送を容易にするために、送路システムに沿ってルート設定可能である。
【０００９】
更に別の実施形態によれば、流動性材料を保持するための少なくとも１つの容器と、送路システムと、複数のユニット操作ステーションと、送路システムに沿って推進可能な複数の搬送体と、を含む、システムが提供される。容器は、少なくとも１つの開口部を有し、少なくとも１つのクロージャが、容器の開口部を選択的に封止するために提供される。複数のユニット操作ステーションのうちの１つは、送路システムに沿って配置され、流動性材料を容器に分配するように構成されている。各容器は、対応する搬送体上に配置されており、複数の搬送体について、少なくとも１つの容器及び少なくとも１つのクロージャを、容器上にクロージャを適用するための少なくとも１つのユニット操作ステーションに配送するために、送路システムに沿って独立してルート設定可能である。
【００１０】
更に別の実施形態によれば、流動性材料を保持するための、少なくとも１つの第１の容器、及び少なくとも１つの第２の容器と、送路システムと、送路システムに沿って配置された流動性材料を分配するための少なくとも１つのユニット操作ステーションと、送路システムに沿って推進可能な複数の搬送体と、を含む、システムが提供される。第１の容器及び第２の容器は、同一又は異なる搬送体に配置されている。各搬送体は、第１の容器及び第２の容器が少なくとも１つのユニット操作ステーションに配送されるように、送路システムに沿って、独立してルート設定可能である。第１の容器及び第２の容器は、流動性材料を分配するための１つ以上の充填ユニット操作ステーションにより分配される１つ以上の流動性材料を受け入れ、ここで、充填ユニット操作ステーションは、第１の容器及び第２の容器中の第１の流動性組成物及び第２の流動性組成物が互いに異なるように、流動性材料を分配するように構成されている。第１の流動性組成物及び第２の流動性組成物は、以下のうちの１つ以上において異なり得る。第１の容器中の流動性組成物と、第２の容器中の流動性組成物における、少なくとも１つの成分の有無又は種類が異なる。加えて又は代替的に、第１の容器および第２の容器中の流動性組成物は、少なくとも１つの共通成分を有し、および、以下の関係、（ａ）２種類の流動性組成物において、存在する量が多い方の成分の重量パーセントを、２種類の流動性組成物において、存在する量が少ない方の同一の成分の重量パーセントで割ることによって決定される、２種類の流動性組成物における同一の成分の重量パーセントの差が、約１．１以上であること、および、（ｂ）第１の容器及び第２の容器の両方に共通する成分のうちの少なくとも１つの重量パーセントが、２種類の流動性組成物において少なくとも２％の量であり、２種類の流動性組成物における同一の成分の重量パーセントの差が、２％以上であること、のうちの少なくとも一方が存在する。
【００１１】
別の実施形態によれば、流動性材料を保持するための複数の容器と、送路システムと、送路システムに沿って配置された複数のユニット操作ステーションと、送路システムに沿って推進可能な複数の搬送体と、を含む、システムが提供される。各容器は、搬送体の１つに配置されており、各搬送体については、容器が少なくとも１つの操作ステーションに配送されるように、送路システムに沿って独立してルート設定可能である。搬送体の少なくともいくつかは、異なる最終製品の同時製造を容易にするために、制御システムにより割り当てられた送路システムに沿ったユニークなルートと対応付けられている。
【００１２】
更に別の実施形態によれば、流動性材料を保持するための複数の容器と、容器用の複数の搬送体と、容器を載せた搬送体が推進可能である送路を含む送路システムと、送路システムに沿って配置され、協働して少なくとも１つの最終製品を製造するように構成されている複数のユニット操作ステーションと、を含む、システムが提供される。各容器は、搬送体上に配置されており、複数の搬送体は、容器の少なくともいくつかが、少なくとも１つのユニット操作ステーションに配送されるように、送路システムに沿って独立してルート設定され得る。このシステムは、１つ以上のコントローラユニットを備える制御システムを更に含む。このコントローラユニットは、製造された最終製品に対する要求を受信し、搬送体のためのルートを決定し（ここで、このルートは、１つ以上のユニット操作ステーションの状態に基づいて決定される）、推進される搬送体を上記決定されたルートに沿って進行させ、これにより、上記要求された最終製品の１つ以上を製造し、１つ以上の最終製品を脱荷ステーションに配送する。
【００１３】
更に別の実施形態によれば、異なる流動性製品を単一の生産ラインで製造する方法が提供される。この方法は、（ａ）容器を載せた搬送体が推進可能である送路を含む送路システムを提供するステップと、（ｂ）第１の容器及び第２の容器を含む複数の空の容器を提供するステップと、（ｃ）複数の搬送体を提供するステップと、（ｄ）第１の及び第２の空の容器を１つ又は２つの搬送体に載せるステップと、（ｅ）同時に、容器を載せた搬送体のうちの１つを、流動性製品が第１の容器に分配される充填ユニット操作ステーションに送り、容器を載せた搬送体のうちの別の１つを、異なる流動性製品が第２の容器に分配される充填ユニット操作ステーションに送るステップと、を含む。ステップ（ａ）〜（ｃ）は、任意の適切な順序で行ってもよい。
【図面の簡単な説明】
【００１４】
特定の実施形態は、以下の説明文を添付の図面と共に考慮することでより深く理解され得るものと考えられる。
【図１】一実施形態に係る、送路及び制御システムを有する送路システムを示す模式図である。
【図１Ａ】代替構成を有する送路システムの模式図である。
【図１Ｂ】別の代替構成を有する送路システムの模式図である。
【図１Ｃ】別の代替構成を有する送路システムの模式図である。
【図１Ｄ】別の代替構成を有する送路システムの部分模式図である。
【図２】容器に関連する、図１の送路システムのための搬送体を示す分解等角図である。
【図３】図２の搬送体の側面図である。
【図４】図１の送路の直線部分を示す等角図である。
【図５】図１の送路の湾曲部分を示す等角図である。
【図６】図１の送路の移行部分を示す等角図である。
【図７】図１の送路の充填／キャッピングステーションを示す等角図である。
【図８】別の実施形態に係る、２次運送部の拡大模式図である。
【図９】図１の制御システムの模式図である。
【図１０】一実施形態に係る、図１の制御システムにより実施される制御ルーチンの順序決定フェーズ（Sequencing Phase）を示すフローチャートである。
【図１１】一実施形態に係る、図１の制御システムにより実施される制御ルーチンの要求伝搬フェーズを示すフローチャートである。
【図１２】一実施形態に係る、図１の制御システムにより実施される制御ルーチンの有効ルート識別フェーズを示すフローチャートである。
【図１３Ａ】一実施形態に係る、図１の制御システムにより実施される制御ルーチンのルート順位付けフェーズの部分を示すフローチャートである。
【図１３Ｂ】一実施形態に係る、図１の制御システムにより実施される制御ルーチンのルート順位付けフェーズの部分を示すフローチャートである。
【発明を実施するための形態】
【００１５】
定義
本明細書で使用する場合、用語「キャッピング」は、任意の適切な種類のクロージャを容器に適用することを指し、キャップを容器に適用することが挙げられるが、これらに限定されない。
【００１６】
「１つ以上のユニット操作ステーションへの到着に対する制約」のように、本明細書で使用する場合、用語「制約」は、１つ以上のユニット操作ステーションに到着する搬送体についての限定又は制限を指す。１つ以上のユニット操作ステーションへの到着に対する制約の例としては、満杯でないインフィードキュー及び１つ以上の容器が特定の包装を形成するために１つ以上の他の容器の前に到着するという要件が挙げられる。
【００１７】
本明細書で使用する場合、用語「容器」は、流動性材料などの材料を保持可能な物品を指し、ボトル、単位用量ポッド、パウチ、小袋、ボックス、包装、缶及びカートンが挙げられるが、これらに限定されない。容器は、全体的に又は部分的に、剛性、可撓−弾性又は可撓性の構造を有し得る。
【００１８】
本明細書で使用する場合、用語「容器を載せた」は、上に１つ以上の容器が配置されていることを意味する。
【００１９】
本明細書で使用する場合、用語「容器処理操作」は、以下のユニット操作：（ａ）流動性材料を容器に分配するための充填操作ステーション；（ｂ）加飾操作；及び（ｃ）キャッピング操作のうちの１つ以上を指す。用語「容器処理操作」は、容器を搬送体に載荷及び／又は脱荷する操作を含まない。用語「容器処理操作」が、容器を載せた搬送体において行われると記載される場合、操作は、適宜、容器及び／又はその内容物に対して行われ得ると理解される。
【００２０】
本明細書で使用する場合、用語「装飾」は、直接適用されるか、若しくは、物品に転写される材料の堆積によって、又は、物品の特性を変換することによって、又は、これらの組み合わせによって適用される視覚的、触覚的又は嗅覚的な効果を指す。物品は、容器及び／又はクロージャを含んでもよい。物品に直接適用される材料堆積の例としては、物品にラベルを適用すること（ラベリング）及び／又は物品に印刷することが挙げられるが、これらに限定されない。物品の表面に材料を転写させることなく物品の特性を変換する例は、レーザーにより物品の表面に画像を付与することである。本明細書で使用する場合、用語「加飾する」は、装飾を適用する行為を指す。
【００２１】
本明細書で使用する場合、用語「異なる最終製品」は、容器容積、容器形状、容器サイズ、含まれる材料の体積又は質量、含有成分、含有流動性製品組成物、容器又はクロージャの外観、クロージャの種類、容器の組成、クロージャの組成又は他の最終製品属性が異なることを意味する。容器（及びクロージャ）の「外観」は、その色及びその上の任意のラベル又はラベルコンテンツを含むその上の任意の装飾を指す。最終製品が前述の特性のうちの１つ以上において互いに異なるものとして説明される場合、この差は、製造公差内のばらつきの結果である小さな差以外の差を含むことを意味する。
【００２２】
本明細書で使用する場合、用語「異なる流動性製品」は、少なくとも１つの特性：例えば、状態（例えば、液体、固体又は非ヘッドスペースガス）、流動性製品中の物質の１つ以上の状態の異なる量、成分の差、流動性製品中の１つ以上の成分の異なる量、観察可能な特性（観察者により知覚又は測定されるもの、例えば、色、香り、粘度）、任意の固体粒子の粒径及び他の特性が異なることを意味する。流動性製品が前述の特性のうちの１つ以上において互いに異なるものとして説明される場合、この差は、製造公差内のばらつきの結果である小さな差以外の差を含むことを意味する。それぞれの成分に基づく２つの異なる流動性製品間の差に関して、この差は、２つの流動性製品の一方が他方の流動性製品には存在しない成分を含む場合を意味する。２つの異なる流動性製品において、少なくとも１つの同じ成分の量が異なることについては、２つの異なる流動性製品がそれぞれ、少なくとも１つの同じ成分を、以下の方法の一方又は両方により決定したときに、重量ベースで最低量以上の差が存在する状態で、含有する場合を意味している。どちらの方法も、それぞれの最終製品に関連するそれぞれの流動性製品のそれぞれの容器に含まれる流動性製品の総量の総流動性製品重量の重量％として、それぞれの異なる配合における上記同じ成分の割合が既知である必要がある。方法１では、２つの流動性製品のうちの多い方の重量％を２つの流動性製品のうちの少ない方の重量％で割ることによって決定した、２つの流動性製品中の同じ成分の重量％の比が、約１．１以上（及び、それ故、約１．２５以上）である場合、２つの流動性製品が異なると判断される。方法２は、流動性材料の各々において、存在する同じ成分の重量％が、最小でも（重量％で）２％以上であり、２つの流動性製品のうち多い方の重量％と、２つの流動性製品のうち少ない方の重量％との引き算により決定される、２つの流動性製品中の同じ成分の重量％の差が、約２％以上、又は、９９％以下の任意の整数％の値である場合に適用される。異なる流動性製品は、最終製品内に含まれる流動性製品の重量合計の全体を指し、ここで、流動性製品は、１つ又は複数の流動性製品含有チャンバ内に含まれてもよい。非ヘッドスペースガスは、加圧ガスを指し、その例としては、エアロゾル製品用のような推進ガス及び容器に構造的支持又は形状画定を提供するための密封チャンバ用の加圧ガスが挙げられる。
【００２３】
容器を載せた搬送体上の容器に関して本明細書で使用する場合、用語「〜上に配置される」又は「その上に配置される」は、取り外し可能な方法で、〜によって保持される、〜に固定される、又は他の様式で〜に結合される、のいずれかを意味する。容器が搬送体上に配置されている（being disposed on）として説明される場合、容器は、搬送体に対して任意の適切な配向にあってよい。同配向としては、搬送体の上、搬送体の下、搬送体の１つ以上の側面に隣接、又は、（搬送体上に２つ以上の容器が配置される場合）それらの任意の組み合わせが挙げられるが、これらに限定されない。
【００２４】
ステーションに関する用語「高速サイクル」は、検査ステーション、例えば、計量ステーション、スキャナ（例えば、バーコード、ＱＲコード、ＲＦＩＤコードなどをスキャンするためのもの）、ビジョンシステム、金属検出器及びこのようなステーションで行われるタスクが、少なくともいくつかの他のユニット操作ステーションに対して最少量の時間で行われる他の種類のステーションを指す。
【００２５】
本明細書で使用する場合、用語「最終製品」は、容器、内部の流動性材料（又は内容物）、容器の任意の装飾及び容器のクロージャを含む。
【００２６】
本明細書で使用する場合、用語「流動性製品」（又は「流動性材料」）は、液体製品、ゲル、スラリー、流動性ペースト、注入可能な固体製品（粒状材料、粉末、ビーズ及びポッドが挙げられるが、これらに限定されない）及び／又は気体製品（エアロゾルで使用されるものが挙げられるが、これらに限定されない）を指す。
【００２７】
本明細書で使用する場合、用語「待機パターン」は、少なくとも１つの（空の）搬送体又は容器を載せた搬送体が（主閉ループ又はサブループの）閉ループ上の少なくとも１つの箇所を２回通過する一方で、上記箇所を越えて反対方向に介在するトリップ（trip）なしに同じ方向に移動することを意味する。更に、用語「待機パターン」は、容器を載せた搬送体が、その箇所を２回通過する間に容器を降ろさないことも意味する。このため、第１の製品を製造するために搬送体を使用した後に第２の製品を製造するために搬送体を再循環させる典型的な操作は、待機パターンで搬送体を移動させるとは考えられないことになる。容器が「空」であると言われる場合、容器は、その中に大気を含んでいても、空であると考えられる。
【００２８】
本明細書で使用する場合、用語「インフィードキュー」は、ユニット操作ステーションが搬送体を受け入れる準備が整うまで、搬送体が待つ領域を指す。インフィードキューは、送路の長さ又はこの領域で待機し得る搬送体の数で表わし得る。異なるユニット操作ステーションは、同じ又は異なるインフィードキュー長を有してもよい。したがって、いくつかのユニット操作ステーションのキュー長は、他のユニット操作ステーションのキュー長よりも短くてもよく又は長くてもよい。インフィードキューは、（搬送体の数を使用する場合）０から（所定の搬送体の前で待つことができる搬送体がない場合）、数百の搬送体までの範囲であり得る。場合によっては、キュー長は、搬送体約２〜１０台分であってもよい。
【００２９】
本明細書で使用する場合、用語「検査」としては、スキャニング、秤量、容器の存在若しくは向きの検出又は他の種類の検査のいずれかを挙げることができる。検査は、秤量ステーション、スキャナ（例えば、バーコード、ＱＲコード、ＲＦＩＤコードなどをスキャンするためのもの）、ビジョンシステム、金属検出器及び他の種類のステーションにより行ってもよい。
【００３０】
本明細書で使用する場合、用語「インターフェースポイント」は、送路上の特定の位置を指す。インターフェースポイント位置は、製品スケジューリングコントローラの目的のために予め選択される。正確には、１つのインターフェースポイントは、隣接するユニット操作ステーション群間の送路に沿って画定することができ、これにより、ユニット操作ステーション群は、ユニット操作ステーション群のユニット操作ステーションと上流のユニット操作ステーション群のユニット操作ステーションとの間に位置する上流インターフェースポイントを有し、ユニット操作ステーション群は、ユニット操作ステーション群のユニット操作ステーションと下流のユニット操作ステーション群のユニット操作ステーションとの間に位置する下流インターフェースポイントを有すると言うことができる。一例として、図１のユニット操作ステーション８６は、ユニット操作ステーション群を含む。このユニット操作ステーション群は、上流インターフェースポイントＩ２（図１）と、下流インターフェースポイントＩ３（図１）とを有する。同じ例について詳述すると、図１のユニット操作ステーション８８は、第２のユニット操作ステーション群を含む。第２のユニット操作ステーション群は、上流インターフェースポイントＩ３（図１）と、下流インターフェースポイントＩ４（図１）とを有する。このため、インターフェースポイントは、第１のユニット操作ステーション群についての下流インターフェースポイントと、第２のユニット操作ステーション群についての上流インターフェースポイントとの両方として機能してもよい。インターフェースポイントは、入口スイッチ又は出口スイッチの位置に対応する必要はない（かつ、多くの場合対応しない）。インターフェースポイントは、１次運送経路上又は２次運送経路上のいずれにあってもよい。
【００３１】
本開示の全体にわたって使用する場合、用語「結合される」は、構成要素が別の構成要素に、この構成要素をこの他の構成要素に直接取り付けることにより直接固定される構成、構成要素が別の構成要素に、この構成要素を中間部材（１つ又は複数）に取り付け、次に、同中間部材がこの他の構成要素に取り付けられることにより間接的に固定される構成、及び１つの構成要素が別の構成要素と一体である、すなわち、１つの構成要素が本質的に他の構成要素の一部である構成を包含する。
【００３２】
ユニット操作ステーションで生じる活動に関して本明細書で使用する場合、用語「操作」は、変換及び検査を含む。
【００３３】
本明細書で使用する場合、用語「包装」は、消費者製品の上又は周囲に少なくとも部分的に配置される構造又は材料を意味する。「１次包装」は、消費者製品が直接接触する容器を意味し、そのクロージャ、ポンプ、キャップ又は他の周辺品目を含む。「２次包装」は、１次包装に関連する任意の追加の材料、例えば、１次包装を少なくとも部分的に取り囲む、収容する又は接触するボックス又はポリマースリーブなどの容器を意味する。
【００３４】
本明細書で使用する場合、用語「複数」は、２つ以上を意味する。
【００３５】
本明細書で使用する場合、用語「推進可能」は、任意の様式で推進され得ることを意味する。搬送体は、例えば、重力により又は機械的、電気的、磁気的若しくは他の形態の推進であり得る推進力により推進可能となり得る。
【００３６】
本明細書で使用する場合、用途「ルート（route）」は、最終製品を製造するために、容器を載せた搬送体が訪れるユニット操作ステーション及びこのようなユニット操作ステーションで完了される操作の順序付けられたリストを指す。
【００３７】
本明細書で使用する場合、用語「同時」は、（厳密に）同時に開始する何かを意味するだけでなく、厳密に同時に開始及び／又は終了しない場合があるが、同じ時間フレームの間に起こる何かも意味する。搬送体のルート設定（routing）、ユニット操作ステーションへの異なる搬送体の配送、同じ若しくは異なるユニット操作ステーションでの操作の実行、及び／又は同じ種類の容器若しくは異なる種類の容器において複数の（同じ又は異なる）最終製品を製造するプロセス（又はこのプロセス中の任意のステップ）、のうちの１つ以上は、本明細書に記載されたシステム及び方法において同時に起こるように指定され得る。
【００３８】
送路に関して本明細書で使用する場合、用語「システム」は、１つ以上の容器を載せた搬送体を１つ以上のユニット操作へとルート設定（routed to）することができる（単一の）ネットワークを指す。したがって、システムにおける送路及び経路は、典型的には、互いに（少なくとも間接的に）結合されていることになる。対照的に、同じ建物若しくは施設内又は異なる建物若しくは施設内の別個の接続されていない処理ラインは、システムを含むとは考えられないことになる。このため、異なる流体を容器に充填するように操作されている同じ建物内の２つの未接続の充填ラインは、システムを含むとは考えられないことになる。
【００３９】
本明細書で使用する場合、用語「変換（transformation）」は、容器及び／又はその内容物に対する物理的、化学的及び生物学的変化を含む。変換の例としては、載荷、分配、充填、混合、キャッピング、シーリング、加飾、ラベリング、空にすること、脱荷、加熱、冷却、低温殺菌、滅菌、包装、回転又は反転、印刷、切断、分離、機械的沈降若しくは機械的分離又は化学反応を可能にするための一時停止又はエッチングが挙げられるが、これらに限定されない。用語「変換」は、容器及び／又はその内容物の検査を含まない。
【００４０】
用語「ルート」を修飾するために本明細書で使用する場合、用語「ユニーク」は、ユニット操作ステーションの数、種類若しくは順序又はユニット操作ステーションで完了する操作が別の容器を載せた搬送体の操作とは異なることを意味する。
【００４１】
本明細書で使用する場合、用語「ユニット操作ステーション」は、容器又はその内容物が変換又は検査であり得る操作を受ける場所を意味する。上記定義された変換の種類はそれぞれ、別々のユニット操作ステーションで行われてもよく、又は、１つ以上の変換及び／若しくは検査は、単一のユニット操作ステーションで行われる１つの操作として説明されてもよい。後者の１つの非限定的な例では、キャップ取り外し（uncapping）、充填及びキャッピングの変換は、単一の充填／キャッピングユニット操作ステーションで行われ得る。
【００４２】
百分率及び比率は全て、特に指示がない限り、全組成の重量により計算される。
【００４３】
図１〜図９（図１Ａ〜図１Ｄを含む）の図及び例に関して、同様の符号は、図面全体を通して同じ又は対応する構成要素を示し、図１に、送路２２と、送路２２に沿って推進可能な複数の搬送体２４と、を含む、送路システム２０を示す。送路システム２０は、任意の適切な種類のシステムを含み得る。いくつかの実施形態では、送路システム２０は、リニア同期モータ（ＬＳＭ）ベースのシステムであることができ、同システムでは、電磁力（ＥＭＦ）を使用して、送路２２に沿った搬送体２４の推進が容易となる。他の実施形態では、送路システムは、搬送体が個々のサーボモータなどにより他の何らかの様式で推進されるシステムであり得る。しかしながら、示された実施形態では、搬送体は、リニア同期モータ（ＬＳＭ）ベースのシステムにより推進される。
【００４４】
搬送体２４のうちの１つが、図２に図示され、中央リブ３０により互いに結合された上部２６と、下部２８と、を含むように示されている。一実施形態では、上側部分２６及び下側部分２８は、ファスナ３２により取り外し可能に互いに結合され得る。上側部分２６及び下側部分２８は、中央リブ３０により互いに離間していることができる。図３に示されているように、上側部分２６は、中央リブ３０に隣接し、下側部分２８に面する摩耗面又は走行面３４を含み得る。下側部分２８は、送路２２に沿った搬送体２４のＬＳＭ推進を容易にする磁石３６を含み得る。一実施形態では、磁石３６は、Ｓ極で形成され、それぞれＮ極として形成された２つの端部の間に挟まれた中央磁石を有する磁石アレイであり得る。搬送体２４は、送路システムに沿ったＬＳＭ推進を容易にするための各種の適切な代替構成のいずれかであり得ることを理解されたい。これらの代替構成のいくつかの例は、米国特許第６，０１１，５０８号、同第６，１０１，９５２号、同第６，４９９，７０１号、同第６，５７８，４９５号、同第６，７８１，５２４号、同第６，９１７，１３６号、同第６，９８３，７０１号、同第７，４４８，３２７号、同第７，４５８，４５４号、及び同第９，０３２，８８０号に記載されている。
【００４５】
容器３８は、容器３８に流動性材料を充填すること並びに／又は容器及び／若しくはその内容物に対して他の操作を行うことを容易にするために、送路２２において容器３８についてルート設定するために搬送体２４に提供され得る。容器３８は、流動性材料を受け入れ、分配するための少なくとも１つの開口部４０を画定し得る。容器が開口部４０を有すると言われる場合、複数の開口部を有する実施形態（例えば、別個のクロージャ又は単一のクロージャを有する多区画容器、プレスタブ（press-tab）通気口及びディスペンサ容器など）も含まれる。単一の搬送体上又は異なる搬送体上に、複数の容器が存在し得る。
【００４６】
送路システム２２上に２つ以上の容器が存在する場合、容器２４は、全て同じ種類若しくは幾何学的形態（すなわち、容器が同じサイズ、形状、外観のものであり、同じ容積を有する）でもよく、又は、容器のうちのいずれかが、サイズ、形状、外観若しくは容積のうちの１つ以上において他の容器と異なってもよい。容器の「形状」に言及する場合、これは、容器の外部形状を意味すると理解される。容器の「容積」に言及する場合、これは、容器の内部容積を意味すると理解される。複数の容器は、第１の、第２の、第３の容器などとして識別され得る。送路システム上において、任意の時点で、３つ以上の容器が異なってもよく、及び／又は、他の容器とは異なる流動性材料を保持してもよい。いくつかの実施形態では、任意の所定の時点において、送路システムに沿って配置されている、３、４、５、６、７、８、９、１０又はそれ以上の異なる種類の容器又は異なる種類の容器群（これらは容器の種類及び／又はそこに含まれる流動性材料において互いに異なってもよい）が存在してもよい。
【００４７】
容器から製品を分配することが望まれるまで、クロージャ４２は、容器に結合して開口部４０を閉じ得る（すなわち、クロージャにより開口部が「選択的に封止される」）。クロージャとしては、キャップ、例えば、スナップキャップ、ねじ付きスクリューキャップ、ヒンジ及び頂部若しくは移行スパウト（transition spout）などの複数の部品を含むキャップ、接着キャップ（例えば、スパウトを備えた一部の洗濯洗剤容器に使用されるもの）、計量機能を果たすキャップ、例えば、口腔リンスキャップ、ポンプ又はトリガ及びエアロゾルノズルが挙げられるが、これらに限定されない。クロージャは、形状、サイズ及び外観を有する。容器と同様に、クロージャは、全て同じ種類でもよく、又は、クロージャのいずれかが、形状、サイズ、若しくは外観のうちの１つ以上において他のクロージャと異なってもよい。複数のクロージャは、第１の、第２の、第３のクロージャなどとして識別され得る。
【００４８】
一実施形態では、図２に示されているように、容器３８は、搬送体２４の上側部分２６により画定された真空ポート４４を介して、搬送体２４に取り外し可能に固定され得る。このような実施形態では、容器３８が搬送体２４の上側部分２６に置かれたとき、１次ポート４６において真空引きすることにより、真空ポート４４において真空引きすることができる。容器３８が真空ポート４４上に設けられ、真空ポート４６において真空引きされると、真空により、容器３８が搬送体２４に固定され得る。１次ポート４６は、１次ポート４６を真空ポート４４から選択的に流体的に隔離するシュレーダーバルブ（図示せず）などのバルブを含むことができ、これにより、いったん容器３８が真空引きされると、バルブにより、バルブがその後作動されるまで真空が解放されることが防止される。一実施形態では、上側部分２６の上面４８は、容器３８と上面４８との間の有効な封止を促進するエラストマー材料又は他の類似の材料で形成され得る。本明細書において、搬送体２４の一部は、上側部分２６として説明されているが、搬送体のこの部分は、容器の保持面を含み、必ずしも常に上向きである必要はないと理解されたい。保持面は、任意の適切な方向に向けることができる。この向きは、本明細書に記載された方法の適切な段階において、下向き（上下逆）又は横向きを含む。（当然、流動性材料を内部に有し、その開口部が封止されていない容器は、典型的には、上下逆の状態で搬送されないことになるが、空の容器又は閉じた容器は、上下逆又は横向きに搬送され得る。）
【００４９】
本明細書に記載された容器は、各種の構成のいずれかであることができ、各種の製品を保持するために、各種の業界にわたって使用することができると理解されたい。例えば、本明細書に記載された容器の任意の実施形態は、消費者製品業界及び工業製品業界にわたって使用されてもよく、ここで、上記容器は、流動性製品を収容する。容器は、１回又は複数回の充填操作で充填して、部分的又は完全な意図された充填の後に、最終製品の一部若しくは複数の成分又は全ての成分を収容してもよい。最終製品は、一部又は全部が流動可能（flowable）又は流動性でもよい。
【００５０】
最終製品の例としては、以下の製品のうちの任意のものが挙げられ、全体又は一部において、これらのいずれかは、本明細書に記載され又は当技術分野で公知の任意の実行可能な（workable）流動性製品形態をとることができる：ベビーケア製品（例えば、石鹸、シャンプー及びローション）；人間又は動物の毛を洗浄、処理、美化、及び／又は装飾するための美容ケア製品（例えば、ヘアシャンプー、ヘアコンディショナー、毛髪染料、毛髪着色剤、毛髪補修製品、育毛製品、除毛製品、毛髪減少製品など）；人間又は動物の皮膚を洗浄、処理、美化、及び／又は装飾するための美容ケア製品（例えば、石鹸、ボディウォッシュ、ボディスクラブ、洗顔料、収斂剤、日焼け止め、日焼け止めローション、リップバーム、化粧品、皮膚コンディショナー、コールドクリーム、皮膚保湿剤、制汗剤、デオドラントなど）；人間又は動物の爪を洗浄、処理、美化、及び／又は装飾するための美容ケア製品（例えば、マニキュア、マニキュア落としなど）；人間の顔の毛を洗浄、処理、美化、及び／又は装飾するための手入れ製品（例えば、剃毛製品、プリシェービング製品、アフターシェービング製品など）；人間又は動物の口腔を洗浄、処理、美化、及び／又は装飾するためのヘルスケア製品（例えば、歯磨き粉、マウスウォッシュ、口臭消臭製品、歯垢防止製品、歯白化製品など）；人間及び／又は動物の健康状態を処理するためのヘルスケア製品（例えば、薬、薬剤、医薬品、ビタミン、栄養剤、栄養補給品（カルシウム、繊維など）、咳止め製品、風邪薬、ロゼンジ、呼吸及び／又はアレルギー疾患の治療、痛み止め、睡眠薬、胃腸治療製品（胸焼け、胃腸のむかつき、下痢、過敏性腸症候群など）、浄化水、処理水など；動物の給餌及び／又は世話のためのペットケア製品（例えば、ペットフード、ペットビタミン、ペット薬剤、ペットチュー、ペット治療など）；布地、布、及び／又は洗濯物を洗浄、調整、清涼化、及び／又は処理するための布地ケア製品（例えば、洗濯洗剤、布地コンディショナー、布地染料、布地漂白剤など）；家庭用、商用、及び／又は産業用の食器ケア製品（例えば、手洗い、及び／又は機械洗浄用の食器用石鹸、及びすすぎ助剤）；家庭用、商用、及び／又は産業用の洗浄、及び／又は脱臭製品（例えば、柔軟表面洗浄剤、硬質表面洗浄剤、ガラス洗浄剤、セラミックタイル洗浄剤、カーペット洗浄剤、木洗浄剤、マルチ表面洗浄剤、表面消毒剤、キッチン洗浄剤、風呂洗浄剤（例えば、シンク、トイレ、バスタブ、及び／又はシャワークリーナー）、装置洗浄製品、装置処理製品、車洗浄製品、車脱臭製品、空気洗浄剤、空気脱臭剤、空気殺菌剤など）、など。パーソナルケア製品としては、化粧品、ヘアケア、スキンケア及び口腔ケア製品、すなわち、ヒトにおける使用のためのシャンプー、石鹸、歯磨き粉が挙げられる。
【００５１】
更なる例として、本明細書に記載されるような容器の任意の実施形態は、家庭、商業及び／又は工業、建物及び／又は敷地、建設及び／又は保守の更なる領域にわたって使用される製品又は製品要素を含んでもよい。更なる例として、本明細書に記載されるような容器の任意の実施形態は、食品及び飲料業界にわたって使用される製品又は製品要素を含み得る。更なる例として、本明細書に記載されるような容器の任意の実施形態は、医薬品業界にわたって使用される製品又は製品要素を含み得る。
【００５２】
容器（例えば、３８）は、各種の適切な材料、例えば、ポリマー組成物などのいずれかで形成され得ることを理解されたい。ポリマー組成物は、製品及び製品包装に形成され（例えば、容器などの様々な物品に成形され、容器を形成するために互いに結合される１つ以上のフィルム片に成形され又は他の方法で成形され）得る。いくつかの場合（例えば、ボトルを形成するために）、この組成物は、押出ブロー成形又は射出成形され得る。典型的には、高密度ポリエチレン（ＨＤＰＥ）は押出ブロー成形され、ポリエチレンテレフタレート（ＰＥＴ）は射出延伸ブロー成形される。完全に組み立てられた容器は、容器、クロージャ、ノズル及び／又はハンドルが挙げられるがこれらに限定されない、１つ以上の要素を含み得る。
【００５３】
搬送体２４は、特定の種類の容器に適合するように構成され得る。このように、送路２２に沿った異なる容器種の同時ルート設定を可能にするように、異なる搬送体種が、送路２２に提供され得る。また、搬送体２４は、容器を搬送することに限定されない。いくつかの場合には、搬送体２４は、他の目的に使用され得る。同目的としては、原料をユニット操作ステーションに配送すること及び切替（changeover）工具などの工具を送路システムの周囲の様々な場所に配送することを挙げることができるが、これらに限定されない。例えば、搬送体は、加飾ユニット操作ステーションからラベルを取り外す工具を運ぶために使用されてもよい。
【００５４】
再度図１を参照して、送路２２は、複数の直線部分５０ａ、複数の湾曲部分５０ｂ及び複数の移行部分５０ｃにより形成され得る。図４に、直線部分５０ａのうちの１つが図示されており、基部５４ａに結合している一対のレール５２ａを含むように示されている。基部５４ａは、走行面５６ａと、走行面５６ａの下に配置された複数の導電性推進コイル５８ａと、を含み得る。導電性推進コイルは、移動方向における送路２２に沿った搬送体のルート設定を容易にする。各導電性推進コイルは、共通軸を画定し、この共通軸の周囲に配置された１つ以上の巻きを有する導体を含む。複数の導電性推進コイルのそれぞれの共通軸は、互いに実質的に平行であり、所望の移動方向に実質的に直交していてもよい。複数のコイル５８ａは、いくつかの実施形態では、プリント回路基板（ＰＣＢ）であり得る、下にある基板６０ａ上に実装され得る。複数のコイル５８ａは、送路２２に沿って搬送体２４を推進するための、動力用コイル（power coil）５８ａの通電を容易にし得る電源（図示せず）と電気的に結合させ得る。推進コイル５８ａは、送路システムに沿った搬送体の推進を容易にするために、搬送体の磁石の両側のうち少なくとも一方に配置されてもよい。制御システム６２（図１）は、送路２２に沿った搬送体２４の推進を制御するために、コイル５８ａの通電を制御し得る。一実施形態では、各コイル５８ａは、「Ｈブリッジ」の出力に結合しているトランジスタ（例えば、ＭＯＳＦＥＴ又はＩＧＢＴ）に電気的に結合され得る。制御システム６２は、各コイル５８ａにおける電流の量及び方向を制御するＨブリッジの動作を通して、送路２２に沿った各搬送体２４の推進を制御し得る。ホール効果センサ（図示せず）は、送路２２上の搬送体２４により生成される磁界の検出を容易にするために、基部５４ａに沿って分布され得る。制御システム６２は、ホール効果センサと電気接続して、搬送体２４の様々な推進特性（例えば、速度、方向、位置）の選択的制御を容易にし得る。
【００５５】
各レール５２ａは、上側部分６４ａ及び側方部分６６ａを有することができ、これらは互いに共同して、端部から見たときにＬ字形を形成する。各レール５２ａは、側方部分６６ａで基部５４ａにファスナ６８ａにより結合している。各搬送体２４が送路２２上に提供されると、各レール５２ａの上側部分６４ａは、搬送体２４の上側部分２６の摩耗面３４がレール５２ａの上側部分６４ａに乗ることができるように、搬送体２４の上側部分２６と下側部分２８との間の空間内に延び得る。代替的な実施形態では、摩耗面は、摩耗面から延びるホイールを有することができ、ホイールは、レール５２ａの上側部分６４ａ上を移動することができる。各レール５２ａの側方部分６６ａは、搬送体２４の下側部分２８の両側に沿って延び得る。送路２２に沿った搬送体２４の作動中、レール５２ａは、搬送体２４を送路２２に沿って磁気的に推進させるために十分に、走行面５６ａの上方に、搬送体２４を浮かせた（suspend）状態での、走行面５６ａに沿った搬送体２４の案内を容易にすることができる。
【００５６】
ここから図５を参照して、湾曲部分５０ｂのうちの１つが図示されており、これは、図４に図示された直線部分５０ａと多くの点で類似又は同じである。例えば、湾曲部分５０ｂは、基部５４ｂに結合している一対のレール５２ｂを含み得る。基部５４ｂは、走行面５６ｂと、走行面５６ｂの下に配置された複数のコイル（図示せず）と、を含み得る。しかしながら、湾曲部分５０ｂは、送路２２に沿った搬送体２４の方向転換を容易にするために、約９０度、角度が付けられ得る。
【００５７】
ここから図６を参照して、移行部分５０ｃのうちの１つが図示されており、これは、図４に図示された直線部分５０ａと多くの点で類似又は同じである。例えば、移行部分５０ｃは、基部５４ｃと結合している複数のレール５２ｃを含み得る。基部５４ｃは、走行面５６ｃと、走行面５６ｃの下に配置された複数のコイル（図示せず）と、を含み得る。しかしながら、移行部分５０ｃは、直線部分７０ｃと、異なる方向における搬送体２４のルート設定を容易にする角度付き部分７２ｃと、を有し得る。一実施形態では、移行部分５０ｃは、後退位置（図６に示す）と伸長位置（図示せず）との間で旋回可能なフリッパー部材７４を含み得る。フリッパー部材７４が後退位置にあるとき、通過する搬送体２４は、移行部分５０ｃの直線部分７０ｃに沿って移動することになる。フリッパー部材７４が伸長位置にあるとき、通過する搬送体２４は、直線部分７０ｃから角度付き部分７２ｃにルート設定されることになる。制御システム６２は、フリッパー部材７４と電気的に接続して、直線部分７０ｃ又は角度付き部分７２ｃのいずれかへ、通過する搬送体２４をルート設定する、選択的制御を容易にする。直線部分７０ｃと角度付き部分７２ｃとの間の搬送体の選択的ルート設定を容易にするために、各種の適切な代替的な入口スイッチ及び／又は出口スイッチのいずれかが利用され得ることを理解されたい。これらの代替構成のいくつかの例は、米国特許第９，０３２，８８０号及び米国特許出願公開第２００７／００４４６７６号に記載されている。
【００５８】
再度図１を参照して、送路２２は、１次運送部７６と、１次運送部７６の周囲に設けられ、１次運送部７６から延びる少なくとも１つの（代替的には複数の）２次運送部７８と、を含み得る。１次運送部７６は、搬送体２４のための１次経路Ｐ１を画定し得る。２次運送部７８はそれぞれ、入口位置８０及び出口位置８２において１次経路Ｐ１と交差する搬送体２４のための２次経路Ｐ２を画定し得る。搬送体２４は、関連する入口位置８０及び出口位置８２のそれぞれにおいて、２次運送部７８それぞれに出入りし得る。搬送体２４は、１次運送部７６及び２次運送部７８を時計回り又は反時計回りに移動し得る。いくつかの実施形態では、搬送体２４のいくつかが時計回りに移動し、搬送体のいくつかがそのルートの一部分について反時計回りに同時に移動し又はその逆も可能であるが、反対方向の移動が搬送体間の衝突をもたらさないように注意しなければならない。
【００５９】
２次運送部７８それぞれには、それに沿って、「ユニット操作ステーション」の上記定義（並びにそこに含まれる変換及び検査の定義）に記載された任意の種類のユニット操作ステーションのうち、１つ以上のユニット操作ステーションが配置され得る。任意の適切な数のユニット操作ステーションが存在し得る。一般的には、２つ以上のユニット操作ステーション（例えば、２、３、４、５、．．．最大１００又はそれ以上）が存在することになる。ユニット操作ステーションは、２次運送部７８に沿って任意の適切な構成であってもよい。ユニット操作ステーションは、２次運送部の１つ以上に沿った単一のユニット操作ステーション又は２次運送部の１つ以上に沿ったユニット操作ステーション群によって、構成され得る。
【００６０】
図１に、２次運送部７８上のユニット操作ステーションの構成の１つの非限定的な実施形態を示す。図１に示された実施形態において、２次運送部７８はそれぞれ、複数の容器載荷ステーション８４、複数の組み合わされた充填／キャッピングステーション８６、複数の加飾ステーション８８又は複数の脱荷ステーション９０（例えば、まとめて「ユニット操作ステーション」）のうちの１つを含む。この実施形態では、特定の２次運送部７８に位置するユニット操作ステーション８４、８６、８８、９０はそれぞれ、並列に配列された異なるユニット運送区間９１に沿って配置され得る。搬送体２４は、複数の容器３８内への流動性材料のボトル詰めを容易にするために、２次運送部７８の間で選択的にルート設定され得る。
【００６１】
例えば、搬送体２４が空である（すなわち、容器３８がない）場合、搬送体２４は、まず、空の容器３８が搬送体２４に載せられる容器載荷ステーション８４のうちの１つへとルート設定され得る。ついで、搬送体２４により、空の容器３８は、流動性材料が充填され、クロージャ４０のうちの１つにより封止される充填／キャッピングステーション８６のうちの１つにルート設定され得る。ついで、搬送体２４により、容器３８は、加飾ステーション８８のうちの１つにルート設定されて、加飾を受けることができ、ついで、容器３８は、包装を行うために、充填された容器３８が搬送体２４から取り外され得る脱荷ステーション９０のうちの１つへとルート設定され得る。
【００６２】
図１に図示されているより、送路２２上にかなり多くの搬送体２４が存在し得ることを理解されたい。また、ユニット操作ステーション８４、８６、８８、９０よりかなり多くの搬送体２４も存在し得る。搬送体２４はそれぞれ、容器３８の少なくともいくつかのユニット操作ステーション８４、８６、８８、９０のうちの異なるものへの同時配送を容易にするために、送路２２に沿って独立してルート設定可能である。図１に示された実施形態におけるユニット運送区間９１は、はしごにおける横木の外観を有し得る。ユニット運送区間９１は、複数の搬送体２４を同時に収容するために十分な長さを有し得る。異なるユニット運送区間９１は、同じ長さ又は代替的に異なる長さを有し得る。このように、複数の搬送体２４は、ユニット運送区間９１上で待機して、関連するユニット操作ステーション８４、８６、８８、９０への配送を待つことができる。当然、搬送体は、はしご様構造のサイドレール上でも待機し得るが、いくつかの場合には、これにより、搬送体が、他の搬送体が下流のユニット運送区間９１に到達するのを妨害してしまうおそれがある。
【００６３】
搬送体２４がユニット操作ステーション８４、８６、８８、９０のうちの１つに配置されていない場合、少なくとも１つ（又はそれ以上、例えば、２、３、４、５、．．．最大１００又はそれ以上）の搬送体２４は、１次運送部７６の周りを連続的に回っていることができるため、２次運送部７８に進路を変えられるまで待機している間に、２次運送部７８を迂回し得る。１次経路Ｐ１は、搬送体２４の循環を容易にするために、閉ループの形態にあり得る。１次経路Ｐ１は、巡回的（circuital）又は連続的として記載されてもよい。１次経路Ｐ１は、任意の適切な構成のものであり得る。１次経路Ｐ１に適した構成としては、円形経路、楕円形経路又は直線部分と曲線部分との両方を含む経路が挙げられるが、これらに限定されない。後者の種類の経路の非限定的な例としては、レース送路構成経路、（図１に示された）丸みを帯びた角を有する概して長方形の経路及び他の閉ループ経路が挙げられる。当然、１次経路Ｐ１は、そこから２次経路Ｐ２に進路を変えられる、容器を載せた搬送体用の入口部分及び出口部分を有するため、１次経路に入る又はそこから出る搬送体に対して閉じられていない。
【００６４】
いくつかの場合には、図１Ａに示されているように、１次経路Ｐ１は、１次運送部７６の主閉ループの内側に配置され、主閉ループの部分間に経路を形成する１つ以上のサブループ７７を更に含んでもよい。サブループ７７は、主閉ループ７６の対向する部分の間に経路を形成してもよい。しかしながら、サブループ７７は、代替的に、主閉ループ７６の対向しない部分の間に経路を形成してもよい。当然、サブループへの入口部分及び出口部分が存在する。サブループ７７は、容器を載せた搬送体のうちの少なくともいくつかが、完全に１次経路Ｐ１の閉ループの周りを移動することなく再循環するための経路を提供する。
【００６５】
任意の適切な数の２次経路Ｐ２（例えば、１、２、３、４、５、．．．最大１００又はそれ以上）が存在し得る。いくつかの場合には、２つの横木を有する、はしご構成（以下に記載）を有する単一の２次経路で十分であり得る。一般的には、２つ以上の２次経路（少なくとも１つは充填用、１つは脱荷用）が存在することになる。２つ以上の２次経路Ｐ２が存在する場合、これらは、第１の、第２の、第３の２次経路などと呼ばれ得る。同様に、２次経路用の入口位置は、第１の２次経路用の第１の入口位置及び出口位置、第２の２次経路用の第２の入口位置及び出口位置などと呼ばれてもよい。図１に示されているように、異なる２次経路７８は全て、それに沿って配置された単一の種類のユニット操作ステーションを有するが、これは必須ではない。他の実施形態では、１つ以上の異なる２次経路７８に沿って配置されるユニット操作ステーションの種類は異なってもよい。加えて、いくつかの場合には、単一の種類のユニット操作ステーションが、２つ以上の２次経路に沿って配置され得る。
【００６６】
２次経路Ｐ２は、任意の適切な構成のものであり得る。２次経路Ｐ２は、互いに同じ構成のものでもよいし、又は、異なる構成のものでもよい。２つ以上の２次経路Ｐ２が存在する場合、２次経路のうちの２つは、同じ構成を有してもよく、少なくとも１つの２次経路は、異なる構成を有してもよい。２次経路Ｐ２に適した構成としては、直線経路、曲線経路又は直線部分と曲線部分との両方を含む経路が挙げられるが、これらに限定されない。
【００６７】
可能な２次運送部（及び２次経路）の構成は、事実上無限にある。図１Ａ〜図１Ｄに、これらのうちのいくつかを示す。直線経路の一例は、図１Ｂに示された２次運送部７８Ａのような経路であり、同図において、２次経路Ｐ２は、組み合わせられた入口／出口位置で１次経路Ｐ１に結合している直線区間を形成する。容器を載せた搬送体は、１次経路Ｐ１から離れて、このような２次経路Ｐ２に入ることができ、その後、直線２次経路Ｐ２に沿って、その移動を再び辿って、１次経路Ｐ１に再び入ることができる。直線部分と曲線部分との両方を含む２次経路の非限定的な例としては、（図１に示された）丸みを帯びた角を有する概して長方形の経路が挙げられる。このような２次経路は、平面図ではしご構成を有するように見え得る。はしごにおいて任意の適切な数（例えば、１、２、３、４、５又はそれ以上）の横木が存在し得る。２次経路の入口部分８０及び出口位置８２は、図１に示されているように、離間していてもよく、又は、他の場合には、図１Ｃにおける２次運送部７８Ｅに示されているように、同じ（１次経路上で離間していない）でもよい。
【００６８】
２次経路Ｐ２は、１次経路Ｐ１に対して任意の適切な位置にあってもよい。１つ以上の２次経路Ｐ２は、図１に示されているように、１次経路Ｐ１の閉ループの外側で外向きに延びてもよい。他の場合には、図１Ｃに示された２次運送部７８Ｆの場合におけるように、１つ以上の２次経路Ｐ２が、１次経路Ｐ１の閉ループの内側に位置してもよい。他の場合には、図１Ｃに示された２次運送部７８Ｇ及び７８Ｈの場合におけるように、７８Ｈなどの、２次経路の１つ以上の部分は、２次運送部の外側に延びてもよい（及び所望される場合には、その任意の側又は部分からはしごを形成する）。更に、図１に示された実施形態では、１次経路Ｐ１は、丸みを帯びた角を有する４つの辺を有する概して長方形の経路であり、１次経路Ｐ１の各辺に２次経路Ｐ２の分岐が１つ存在するが、他の場合には、異なる構成が存在してもよい。例えば、図１Ａに示されているように、１次経路Ｐ１の１つ以上の辺から延びる２つ以上の２次経路Ｐ２が存在し得る。いくつかの場合には、１次経路Ｐ１の１つ以上の辺は、そこから延びる２次経路Ｐ２を有していなくてもよい。
【００６９】
図１Ａには、２次経路７８（図１Ａの右上部分）に、場合により、戻りループ７９を設け得ることが示されている。この２次経路７８は、上側横木と、下側横木と、を有するはしごの形態で示されている。この場合には、上側横木は、搬送体が１次経路７６上での搬送体の移動と同じ方向（例えば、時計回り）に移動し得る従来の横木であり得る。別の横木、例えば、下側横木は、戻りループ７９を提供することができ、戻りループ７９において、搬送体は、矢印の方向にはしごの入口脚に戻ることができる。これにより、搬送体は、必要に応じて、この特定の２次経路上の２つ以上のユニット操作ステーションを通して送られ得る。また、これにより、搬送体は、必要に応じて、この特定の２次経路上で２回以上、１つ以上のユニット操作ステーションを通して送られ得る。
【００７０】
図１Ｂに、いくつかの他の２次経路構成を示す。２次経路７８Ｂは、２次経路７８Ａと機能が類似しているが、曲線構成を有する２次経路の例である。２次経路７８Ｃは、搬送体が入口点の下流にある出口点に運送されるのを可能にする追加の脚を含む。２次経路７８Ｃ上の搬送体は、２次経路の第１の脚部内に「ヘッドファースト」で移動することとなり、ついで、方向を反転し、この２次経路の第２の脚部に沿って移動するとき、「テールファースト」で移動することになる。２次経路７８Ｄは、別の追加の（３番目の）脚部（２次経路７８Ｃのものを越える）を含み、これにより、搬送体は、再び向きを変え、１次経路７６に戻る際に、この第３の脚部に沿ってヘッドファーストで移動し得る。
【００７１】
図１Ｄは、別の２次経路構成を示す。図１Ｄに示されているように、任意の適切な様式で並列又は直列にネスト又はカスケードされた複数の２次経路が存在することが可能である。
【００７２】
１次運送部７６の周りを搬送体２４が循環することにより、送路２２上の渋滞を緩和することができ、送路システム２０のスループットを高めることができる。例えば、搬送体２４が最終製品を製造する過程におけるシーケンスの次のユニット操作ステーション８４、８６、８８、９０へとルート設定されるようにスケジューリングされており、かつ、そのユニット操作ステーション８４、８６、８８、９０が占有されている場合（すなわち、ユニット操作ステーション８４、８６、８８、９０を占有する他の搬送体２４により）、搬送体２４は、１次運送部７６の周りを（すなわち、待機パターンで）循環し得る。スケジューリングされたユニット操作ステーション８４、８６、８８、９０が搬送体を受け入れる準備ができると、ついで、搬送体２４は、スケジューリングされたユニット操作ステーション８４、８６、８８、９０の適切な運送区間９１に進路を変えられ得る。
【００７３】
１つ以上の種類のユニット操作ステーションが、１次運送部７６に沿って位置することが可能である。しかしながら、１次運送部７６上での渋滞を緩和し、１つ以上の搬送体２４が１次経路Ｐ１に沿って連続的に循環するのを可能にするために、１次運送部７６は、いくつか又は全てのユニット操作ステーション（すなわち、８４、８６、８８、９０）を欠くことができ、代わりに、ユニット操作ステーションは、上記のように、２次運送部７８に位置することができる。代替的に、１次運送部７６は、それに沿って位置する高速サイクルステーションのみを有してもよい。したがって、搬送体２４は、ユニット操作ステーション８４、８６、８８、９０により行われる操作を受けるために、１次運送部７６から進路を変えられるため、１次運送部７６上での交通の流れを妨害しない。（当然、他の実施形態では、１つ以上のユニット操作ステーションが、１次運送部７６に沿って位置することができ、他のユニット操作ステーションが、２次運送部７８上に位置することができる。）
【００７４】
送路システム２０をこの様式で作動させることにより、従来の容器充填構成より効率的に充填容器を製造し得る。以下に更に詳細に記載されるように、制御システム６２は、送路２２の動作、搬送体２４それぞれのルート設定及びユニット操作ステーション８４、８６、８８、９０それぞれの動作を調整して、最終製品のオーダーを効率的かつ効果的に満たし得る。このため、制御システムは、送路２２、搬送体２４及びユニット操作ステーション８４、８６、８８、９０と通信している。これらの構成要素の動作の調整としては、例えば、搬送体の識別、搬送体のスケジューリング、衝突回避、ルート選択、停止報告などを挙げることができる。
【００７５】
図１に示された実施形態におけるユニット操作ステーション８４、８６、８８、９０はそれぞれ、ここからより完全に説明されることになる。容器載荷ステーション（又は単に「載荷ステーション」）８４は、空の容器（例えば、３８）及び／又はそのクロージャを、容器載荷ステーション８４に位置する搬送体２４上に載せることを容易にするように構成され得る。容器載荷ステーション８４は、容器及び／又はクロージャを搬送体へ載せることを容易にする、各種の自動化及び／又は手動構成のいずれかを含み得ることを理解されたい。載荷は、例えば、任意選択的なゲートを有する重力供給シュート又は機械的動作装置により、手動で、静的に行い得る。適切な機械動作装置としては、独立作動式自動アーム、空圧アーム、ロボット、輸送ホイール及び他の機械的運動要素が挙げられるが、これらに限定されない。一実施形態では、容器載荷ステーション８４はそれぞれ、容器３８及び／又はクロージャを保管領域から取り出し、容器３８及び／又はクロージャを搬送体２４上に置くロボットアーム（図示せず）を含み得る。容器３８及び／又はクロージャの把持を容易にするために、各ロボットアームは、ロボット下顎（robotic mandible）、吸引端又は容器３８及び／若しくはクロージャの把持を可能にする各種の適切な追加又は代替構成のいずれかを有し得る。容器３８及び／又はクロージャが搬送体２４の定位置に配置されると、真空ライン（図示せず）が１次ポート４６（図２）に挿入されて、真空ポート４４において真空引きすることにより、容器３８及び／又はクロージャを搬送体２４に一時的に固定し得る。ついで、真空ラインは、１次ポート４６から取り外されることにより、容器３８及び／又はクロージャの真空を維持するために、関連する弁（図示せず）を閉じ得る。
【００７６】
充填ユニット操作ステーションは、流動性材料を少なくともいくつかの容器に分配するために使用される。充填ユニット操作ステーションは、容器を任意の特定のレベル（例えば、「満杯」レベル）に充填する必要はない。充填ユニット操作ステーションは、任意の適切な流動性材料を容器に分配し得る。いくつかの場合には、充填ユニット操作ステーションは、最終製品の全ての成分を含む組成物を容器に分配し得る。代替的には、充填ユニット操作ステーションは、ベース組成物を容器に分配することができ、最終製品を形成するために、容器は、そこに添加される他の成分を有する別の充填ユニット操作ステーションに送られ得る。このため、いくつかの充填ユニット操作ステーションは、最終製品組成物の一部分のみを分配してもよい。このような部分としては、水、シリコーン（例えば、コンディショニング剤として使用するためのものなど）、染料、芳香剤、香料、漂白剤、消泡剤、界面活性剤、構造化剤などが挙げられるが、これらに限定されない。成分が別々に添加される場合、それらは、任意の適切なユニット操作ステーションで混合され得る。
【００７７】
加えて、いくつかの充填ユニット操作ステーションは、１種類の流動性材料のみを分配するように構成されてもよいが、充填ユニット操作ステーションは、１種類の流動性材料のみ（例えば、１色の染料など）を分配することに限定されない。いくつかの場合には、充填ユニット操作ステーションの１つ以上は、異なる成分を（例えば、異なる流動性材料サプライ及びノズルから）分配するように構成され得る。例えば、同じ充填ユニット操作ステーションは、緑色の最終組成物、青色の最終組成物及び赤色の最終組成物を分配することができ、又は、緑色染料、青色染料及び赤色染料を分配することができる。このような場合には、少なくとも２つの異なる種類の容器（例えば、第１の、第２の、第３の容器など）は、同じ流動性材料分配ユニット操作ステーションから、又は、同じ種類の流動性材料分配ユニット操作ステーションから、最終組成物のための１つ以上（又は全て）の成分を受け取ってもよい。
【００７８】
したがって、充填ユニット操作ステーションは、流動性材料を容器に分配するための複数の独立制御可能なノズルを含み得る。このような独立制御可能なノズルは、多数の異なる形態をとってもよい。いくつかの場合には、単一のノズルを使用して、２つ以上の異なる流動性材料を分配し得る。他の場合には、充填ユニット操作ステーションは、複数のノズルを含むノズルバンクを含んでもよく、同ノズルはそれぞれ、同じか又は異なる流動性材料を分配するように構成されてもよい。更に他の場合には、１つ以上のノズルは、異なる高さの容器に適合するように、上方及び下方に移動可能であり得る。
【００７９】
組み合わせられた充填／キャッピングステーション８６は、流動性材料を容器３８に分配し、いったん充填されると、容器３８にクロージャを適用するように構成され得る。図７に、組み合わせられた充填／キャッピングステーション８６の一例が図示されており、充填部分９２と、キャッピング部分９４と、を含むように示されている。充填部分９２は、後退位置（図７）と伸長位置（図示せず）との間を垂直に移動し得る充填アーム９６を含み得る。キャッピング部分９４は、後退位置（図示せず）とキャッピング位置（図７）との間を垂直に移動し得るキャッピングアーム９８を含み得る。容器３８の充填を開始するために、空の容器３８が充填アーム９６の下に位置する状態で、搬送体２４が、充填部分９２へとルート設定され得る。ついで、充填アーム９６は、後退位置から伸長位置まで移動して、容器３８の開口部４０と係合し得る。ついで、充填アーム９６は、流動性材料を容器３８に分配し得る。流動性材料が分配されると、充填アーム９６は、流体の分配を停止することができ、後退位置に戻ることができる。ついで、搬送体２４は、クロージャ４２がキャッピングアーム９８の下に位置した状態で、キャッピング部分９４へとルート設定され得る。ついで、キャッピングアーム９８は、クロージャ４２まで延び、クロージャ４２を把持し、ついで、後退位置に戻り得る。ついで、搬送体２４は、容器３８の開口部４０をキャッピングアーム９８の下に移動させ得る。キャッピングアーム９８は、キャッピング位置まで移動することができ、クロージャ４２を容器３８にねじ込むか、又は、他の方法で取り付けることができる。クロージャ４２は、内容物にアクセスするために、消費者により取り外し可能又は開放可能でもよい。
【００８０】
いくつかの実施形態では、クロージャ４２は、容器４０上で運送されてもよい。このような実施形態では、搬送体２４が充填／キャッピングステーション８６に到着すると、搬送体２４は、まず、キャッピング部分９４へとルート設定され得る。キャッピングアーム９８は、クロージャ４２を容器３８から取り外すことができ、クロージャ４２を保持しながら、後退位置に移動することができる。ついで、容器３８を流体で充填するために、搬送体２４は、充填部分９２へとルート設定され得る。容器が充填されると、搬送体２４は、キャッピングステーション９４に戻ることができ、ここで、キャッピングアーム９８は、クロージャ４２を容器３８に固定する。他の実施形態では、クロージャ４２は、容器上ではないが、容器３８と同一搬送体上にある状態で（例えば、同一搬送体上であるが、容器に隣接する）、充填／キャッピングステーション８６に運送され得る。他の実施形態では、クロージャ４２は、容器３８を運送している搬送体とは異なる搬送体（例えば、別個の搬送体）上にある状態で、充填／キャッピングステーション８６に運送され得る。クロージャが搬送体上で運送されるとき、クロージャは、真空により（又は他の何らかの適切な様式で）保持され、必要に応じて、最終製品ユニット操作ステーションのいずれかに送られ得る。例えば、クロージャ４２を、クロージャを加飾するための加飾ステーションに送ることが望ましい場合がある。更に他の実施形態では、クロージャ４２は、空の容器３８と共に運送されなくてもよいが、代わりに、キャッピング部分９４に到達したとき（すなわち、容器３８が流動性材料で充填された後）に、容器３８に提供され得る。充填／キャッピングステーション８６は、容器の充填及びキャッピングを容易にする、各種の追加又は代替の自動及び／又は手動構成のいずれかを含み得ることを理解されたい。
【００８１】
図８に、２次運送部１０７８の代替的な実施形態が図示されており、図１及び図７に示され、上記された充填／キャッピングステーション８６と多くの点で類似又は同じである、複数の充填／キャッピングステーション１０８６を含むように示されている。しかしながら、充填／キャッピングステーション１０８６は、送路（例えば、２２）の１次運送部１０７６に沿って直列に配置された、異なるユニット運送区間１０９１に沿って配置され得る。他のユニット操作ステーションは、追加的に又は代替的に、直列に配置された、異なるユニット運送区間１０９１に沿って配置され得ることを理解されたい。
【００８２】
加飾ステーション８８は、容器３８のラベリング、印刷又は他の方法での加飾を容易にするように構成され得る（また、場合により、そのクロージャに対しても同じことを行う）。一実施形態では、加飾ステーション８８のうち少なくとも１つは、容器３８に適用するためのラベルを印刷するプリンタ（図示せず）を含み得る。このような実施形態では、プリンタは、バッキング基材上にあるステッカー上にラベルを印刷し得る。スプーリングアセンブリ（図示せず）は、ステッカー及びバッキング基材を受け入れ得る。容器３８を運ぶ搬送体２４がスプーリングアセンブリを通過するとき、スプーリングアセンブリを通過する容器３８の移動により、容器３８へのステッカーの適用が容易になり得る。他の実施形態では、プリンタは、転写コンポーネント上にインクを印刷することができ、接着剤が、インク上に適用されて、複合構造を形成することができる。ついで、インクと接着剤の複合構造は、（別個のステッカーを使用せずに）ラベル又は装飾を形成するために、転写コンポーネントから容器上へ転写され得る。このような構成は、ラベルの「オンデマンド」印刷を容易にすることができ、これにより、異なるラベルが、搬送体２４により運ばれる異なる種類の容器３８及び／又は流体に対して印刷され得る。これらのラベルは、例えば、文字、グラフィックス、ブランディング、成分、ＳＫＵ情報又は容器３８が販売のために展示されるときの他の視覚的要素などの様々な種類の装飾及び製品情報を含み得る。必要に応じて、容器は、小売業者又は個々の消費者からのオーダーに対して及び／又はそれに応答して、個別化させる（personalize）こともできる。
【００８３】
脱荷ステーション９０は、搬送体２４からの充填済み容器３８の取り出しを容易にするように構成され得る。一実施形態では、脱荷ステーション９０はそれぞれ、包装（例えば、店舗ディスプレイ又は出荷容器）を行うために、容器３８を各搬送体２４から回収するロボットアーム（図示せず）を含み得る。容器３８の把持を容易にするために、ロボットアームは、ロボット下顎、吸引端又は容器３８の把持を可能にする各種の適切な追加又は代替構成のいずれかを有し得る。容器３８が搬送体２４から取り外されると、搬送体２４は、充填のための別の空の容器３８を受け入れるために、容器載荷ステーション８４へとルート設定され得る。脱荷ステーション９０は、容器の包装への脱荷を容易にする各種の追加又は代替の自動及び／又は手動構成のいずれかを含み得ることを理解されたい。
【００８４】
いくつかの実施形態では、容器３８は、販売業者で販売するために容器３８を陳列するように設計された包装に提供され得る。このような包装では、容器３８は、個々に販売するために提供されることができ、又は、共に商取引の物品を形成する１つ以上の他の容器又は製品と共に包装されることができる。容器３８は、２次包装のある、又は、２次包装のない１次包装として販売のために提供され得る。容器３８は、店舗の棚上に横にするか若しくは直立した状態、販売促進陳列（merchandising display）で提示した状態、陳列ハンガに掛けた状態、又は、陳列ラック若しくは自動販売機内に装填した状態で、販売用に陳列されるように構成され得る。容器３８が流動性製品用である場合、容器３８は、これらの方法のいずれか又は意図した技術分野で公知の他の任意の方法で、問題なく陳列可能な構造で構成され得る。いくつかの実施形態では、脱荷ステーション９０は、従来の操作で多くの場合必要とされるような容器３８の手動操作を必要とせずに、同じ包装内で異なる種類の容器及び／又は流動性材料の包装（「バンドル化（bundling）」）を容易にし得る。
【００８５】
送路システム２０は、任意の適切な数及び／又は種類の検査ステーションを含み得る。例えば、図１において、送路システム２０は、通過する容器３８をスキャンするようにそれぞれ構成されている第１のスキャナ１００及び第２のスキャナ１０２を含み得る。第１のスキャナ１００は、入口位置８０のうちの１つと充填／キャッピングステーション８６との間に位置することができ、通過する各搬送体２４をスキャンして、容器３８が存在するかどうかを判定することができる。第２のスキャナ１０２は、加飾ステーション８８と脱荷ステーション９０との間に位置することができ、通過する各搬送体２４をスキャンして、その上に配置された容器３８が脱荷ステーション９０による包装の準備ができているかどうかを判定することができる。
【００８６】
容器３８が（例えば、内容物及び／又は容器の欠陥により）脱荷ステーションのうちの１つによる包装の準備ができていない場合、容器は、その目的地の脱荷ステーションで降ろされ得る。他の場合には、容器を有する搬送体は、代替的な脱荷ステーションに送られ得る。目的地又は代替の脱荷ステーションでは、下記動作のうちの１つ以上を行い得る：容器及び／若しくはその内容物の欠陥を修復することができ；容器を空にしてリサイクルすることができ、並びに／又は、容器及び／若しくはその内容物を廃棄し得る。容器は、脱荷ステーションから降ろされ、搬送体は、新たなルート割当ての準備が整う。
【００８７】
第１のスキャナ１００及び第２のスキャナ１０２は、搬送体２４及び／又は容器３８から情報を取得するための各種のスキャナのいずれか、例えば、赤外線スキャナであり得る。第１のスキャナ１００及び第２のスキャナ１０２は、例えば、ＱＲコード又はＵＰＣバーコードなどの、容器３８からの各種のデータの読取りを容易にするようにも構成され得る。
【００８８】
送路システム２０は、異なる種類の流動性材料を様々な種類の異なる容器に同時に分配することを容易にし得ることを理解されたい。（当然、異なる容器への分配の開始時間及び終了時間は、正確に一致してもよいが、必ずしも一致する必要はない。異なる容器への分配は、時間的に少なくとも部分的にのみ重複してもよい）
【００８９】
加えて、いくつかの場合には、１つ以上の容器は、最終製品を製造するために使用される流動性材料が充填されなくてもよい。例えば、１つ以上の容器は、充填ユニット操作ステーションにおいて１つ以上のノズルから洗浄又はフラッシュされる流動性材料を受容するために使用されてもよく、この流動性材料は、その後、廃棄又はリサイクルされ得る。
【００９０】
以下でより詳細に説明されることになるように、各搬送体２４に提供される特定の容器種及び流動性材料は、特定の製造スケジュールを満たすように制御システム６２により選択されることができ、各搬送体２４は、容器３８の載荷及び充填を容易にするために、ユニット操作ステーション（例えば、８４、８６、８８、９０）間のユニークなルートに沿って独立かつ同時にルート設定され得る。各搬送体２４のためのユニークなルートは、少なくとも部分的に、搬送体の種類（すなわち、搬送体２４が適合するように構成された１つ以上の容器の種類）、他の搬送体２４のために選択されたユニークなルート、及び／又は、例えば、脱荷ステーション９０が包装のために必要とする最終製品の種類に基づいて、制御システム６２により選択され得る。送路システム２０は、従来の構成より効率的かつ効果的に、異なる種類の容器に異なる種類の流体を充填するのを容易にし得ることを理解されたい。従来の構成、例えば、リニアモータ充填ラインは、典型的に、一度に１種類の流体を１種類の容器に充填するのを可能にするのみである。したがって、多くの場合、個別のシステムが、製造される各容器及び流体に対して必要とされ、これは、高価で時間がかかるおそれがある。加えて、これらのシステムを異なる容器及び／又は流体を使用するように変換することも、高価で時間がかかるおそれがある。したがって、送路システム２０は、これらの従来の構成より費用がかからず、時間がかからない様式で、異なる種類の充填済み容器の製造を可能にする解決策であり得る。
【００９１】
異なるユニット操作ステーションで行われる操作は、同じ時間量を要する可能性があるが、そうでない場合が多いと理解されたい。これらの期間は、第１の持続時間、第２の持続時間、第３の持続時間などと呼ばれてもよい。第１の、第２の、第３の持続時間などは同じであることができ、又は、ある持続時間が他の持続時間より長くてもよい。例えば、いくつかのユニット操作ステーションは、他のユニット操作ステーションと比較して比較的に速い操作を行い；いくつかのユニット操作ステーションは、比較的遅くてもよく、いくつかのユニット操作ステーションは、比較的速いいくつかの操作及びより遅いいくつかの操作を行ってもよい（例えば、１つの成分を分配することができ、また、完全な組成物を含むより多くの量を分配することができる充填ステーションなど）。したがって、図１には、同数の充填／キャッピングユニット操作ステーション及び加飾ステーションが示されているが、これは必須ではない。このため、このシステムは、例えば、より低速なユニット操作ステーションより少ない、比較的高速なユニット操作ステーションを有してもよい。
【００９２】
また、異なる種類の最終製品を製造するために開始から終了までにかかる時間（スループットタイム）は、同じでもよく、又は、異なる種類の最終製品について異なってもよいことも理解されたい。最終製品を製造するためにかかる時間は、同じ種類の最終製品について同じか又は異なってもよい。最終製品を製造するためにかかる時間は、空の容器が載荷ステーションに到着したときに生じる開始点から始まり、最終製品が脱荷ステーションで降ろされる目的点で終わるものとして測定され得る。
【００９３】
ここから図９を参照して、制御システム６２は、搬送体位置コントローラ１０４、製品スケジューリングコントローラ１０６及び送路システムコントローラ１０８を含むことができ、これらは、互いに通信可能に接続しており、協働して最終製品の製造を容易にすることができる。搬送体位置コントローラ１０４は、位置決めモジュール１１０及び衝突防止モジュール１１２を含み得る。位置決めモジュール１１０は、送路２２に沿った指定位置における搬送体２４の位置決めを容易にし得る。搬送体２４はそれぞれ、それに対応付けられたユニークな識別子を有することができ（ユニークさは、送路上の他の搬送体に対してのみ必要である）、それにより、搬送体位置決めモジュール１１０は、搬送体２４を識別し得る。以下で更に詳細に説明されることになるように、搬送体位置コントローラ１０４は、送路システムコントローラ１０８から、搬送体２４についての所望の位置座標を受信し得る。搬送体位置コントローラ１０４は、各搬送体２４についての位置座標に基づいて、送路２２に沿って搬送体２４を移動させ得る。
【００９４】
制御システム６２は、任意の適切なコンピューティングデバイス又はコンピューティングデバイス（図示せず）の組み合わせであることができ、当該技術分野において理解されることになるように、カスタムチップ、埋込み処理デバイス、タブレットコンピューティングデバイス、パーソナルデータアシスタント（ＰＤＡ）、デスクトップ、ラップトップ、マイクロコンピュータ、ミニコンピュータ、サーバ、メインフレーム又は任意の他の適切なプログラマブルデバイスが挙げられるが、これらに限定されない。本明細書に開示された様々な実施形態では、単一のコンポーネントは、複数のコンポーネントで置き換えられることができ、複数のコンポーネントは、単一のコンポーネントで置き換えられて、１つ以上の所定の機能を実行し得る。このような置換が有効でないことになる場合を除いて、このような置換は、実施形態の意図された範囲内である。
【００９５】
コンピューティングデバイスは、例えば、任意の適切な種類の処理ユニット、例えば、汎用中央演算処理装置（ＣＰＵ）、縮小命令セットコンピュータ（ＲＩＳＣ）であり得るプロセッサ、パイプライン又は複数の処理能力を有する（複数のコアを有することを含む）プロセッサ、複合命令セットコンピュータ（ＣＩＳＣ）、デジタル信号プロセッサ（ＤＳＰ）、特定用途向け集積回路（ＡＳＩＣ）、プログラマブル論理デバイス（ＰＬＤ）及びフィールドプログラマブルゲートアレイ（ＦＰＧＡ）などを含み得る。コンピューティングリソースは、分散コンピューティングデバイス、クラウドコンピューティングリソース及び仮想コンピューティングリソース全般も含み得る。
【００９６】
コンピューティングデバイスはまた、１つ以上のメモリ、例えば、読み出し専用メモリ（ＲＯＭ）、ランダムアクセスメモリ（ＲＡＭ）、プロセッサに関連するキャッシュメモリ又はダイナミックＲＡＭ（ＤＲＡＭ）、スタティックＲＡＭ（ＳＲＡＭ）、プログラマブルＲＯＭ（ＰＲＯＭ）、電気的消去可能ＰＲＯＭ（ＥＥＰＲＯＭ）、フラッシュメモリ、リムーバブルメモリカード又はディスク、ソリッドステートドライブなどの他のメモリも含み得る。コンピューティングデバイスは、記憶媒体、例えば、複数のモジュールを有するように構成され得る記憶デバイス、例えば、磁気ディスクドライブ、フロッピードライブ、テープドライブ、ハードドライブ、光ドライブ及びメディア、光磁気ドライブ及びメディア、コンパクトディスクドライブ、コンパクトディスクリードオンリメモリ（ＣＤ−ＲＯＭ）、コンパクトディスクレコーダブル（ＣＤ−Ｒ）、コンパクトディスクリライタブル（ＣＤ−ＲＷ）、適切な種類のデジタル多用途ディスク（ＤＶＤ）又はブルーレイディスクなども含み得る。フラッシュドライブ、ソリッドステートハードドライブ、独立ディスクの冗長アレイ（ＲＡＩＤ）、仮想ドライブ、ネットワークドライブ及びプロセッサ上の記憶媒体又はメモリを含む他のメモリ手段などの記憶媒体も、記憶デバイスとして想定されている。このようなメモリは、開示された実施形態の操作に関して、内部的であってもよいし、又は外部的であってもよいことを理解されたい。本明細書に記載されたプロセスの特定の部分は、コンピュータシステムにプロセスステップを実行するように指示する、１つ以上のコンピュータ可読媒体上に格納されている命令を使用して行い得ると理解され得る。本明細書で使用する場合、非一時的コンピュータ可読媒体は、一時的な伝搬信号を除く全てのコンピュータ可読媒体を含む。
【００９７】
ネットワーク及び通信インターフェースは、ネットワークを介して他のコンピューティングデバイスにデータを送信し、又は、他のコンピューティングデバイスからデータを受信するように構成され得る。ネットワーク及び通信インターフェースは、イーサネットインターフェース、無線インターフェース、ユニバーサルシリアルバス（ＵＳＢ）インターフェース又は任意の他の適切な通信インターフェースであることができ、受信機、送信機及びトランシーバを含むことができる。明確性の目的で、トランシーバは、トランシーバの入力機能のみ又は出力機能のみに言及する場合、受信機又は送信機と呼ばれ得る。例示的な通信インターフェースは、有線データ伝送リンク、例えば、イーサネット及びＴＣＰ／ＩＰを含み得る。通信インターフェースは、プライベートネットワーク又はパブリックネットワークとインターフェースをとるための無線プロトコルを含み得る。例えば、ネットワークと通信インターフェース及びプロトコルとは、プライベート無線ネットワーク、例えば、ＷｉＦｉネットワーク（ＩＥＥＥ８０２．１１ｘファミリーのネットワーク）又は別の適切な無線ネットワークと通信するためのインターフェースを含み得る。ネットワーク及び通信インターフェースは、例えば、符号分割多元接続（ＣＤＭＡ）及びグローバル移動体通信システム（ＧＳＭ）を含む、セルラーネットワークプロバイダにより使用される無線プロトコルを使用して、パブリック無線ネットワークと通信するためのインターフェース及びプロトコルを含み得る。コンピューティングデバイスは、ネットワーク及び通信インターフェースを使用して、ハードウェアモジュール、例えば、データベース若しくはデータストア又は１つ以上のサーバ又は他のネットワークに接続済みのコンピューティングリソースと通信し得る。データは、暗号化されるか、又は、不正アクセスから保護され得る。
【００９８】
様々な構成において、コンピューティングデバイスは、コンピューティングデバイスの様々なコンポーネントを相互接続するためのシステムバスを含むことができ、又は、コンピューティングデバイスは、１つ以上のチップ、例えば、プログラマブル論理デバイス又は特定用途向け集積回路（ＡＳＩＣ）と一体化されていてもよい。システムバスは、メモリコントローラ、ローカルバス又は入出力デバイスをサポートするための周辺バス及び通信インターフェースを含み得る。例示的な入出力デバイスとしては、キーボード、キーパッド、ジェスチャ又はグラフィカル入力デバイス、モーション入力デバイス、タッチスクリーンインターフェース、１つ以上のディスプレイ、オーディオユニット、音声認識ユニット、振動デバイス、コンピュータマウス及び任意の他の適切なユーザインターフェースが挙げられる。
【００９９】
プロセッサ及びメモリは、コンピュータ可読命令、データ、データ構造、プログラムモジュール、コード、マイクロコード及びコンピュータ可読命令を本明細書に記載された方法を実行するための他のハードウェアコンポーネントに関連して非一時的コンピュータ可読媒体に格納するための他のソフトウェアコンポーネントを格納するための不揮発性メモリを含み得る。ソフトウェアコンポーネントとしては、ソースコード、コンパイルされたコード、解釈されたコード（interpreted code）、実行可能なコード、静的コード、動的コード、暗号化されたコード又は、任意の適切な高レベル、低レベル、オブジェクト指向、ビジュアル、コンパイル、又は解釈されたプログラミング言語を使用して実装される任意の他の適切な種類のコード若しくはコンピュータ命令を挙げることができる。
【０１００】
再度図９を参照して、送路２２に沿った搬送体２４のルート設定を容易にするために、搬送体位置コントローラ１０４は、複数のコイル５８ａ及び移行部分５０ｃ（例えば、フリッパー部材７４）の動作を制御し得る。また、搬送体位置コントローラ１０４は、搬送体２４が送路２２に沿って配置されるときに、搬送体２４間の衝突も防止し得る。例えば、搬送体位置コントローラ１０４は、送路２２上の搬送体２４の位置及び／又は速度を追跡し得る。搬送体２４が衝突を引き起こすおそれのある様式で別の搬送体２４に接近し始めた場合、搬送体位置コントローラ１０４は、接近する搬送体２４及び／又は接近されている搬送体２４の速度を調節して（速度を上げ又は下げて）、衝突を防ぎ得る。搬送体位置コントローラ１０４は、送路２２に固有のもの（original）であり、送路２２と共に構築される搭載型コントローラであり得ると理解されたい。一実施形態では、搬送体コントローラ１０４は、送路２２の製造業者（例えば、ＭａｇｎｅＭｏｔｉｏｎ，Ｉｎｃ．，Ｄｅｖｅｎｓ，ＭＡ，Ｕ．Ｓ．Ａ．）から送路と共に提供され得る。
【０１０１】
製品スケジューリングコントローラ１０６は、空の各搬送体２４についての容器の種類及び流動性材料の種類（例えば、最終製品）を割り当てるように構成され得る。また、製品スケジューリングコントローラ１０６は、割り当てられた最終製品を達成する所望のルートを割り当てるようにも構成され得る。送路システムコントローラ１０８は、搬送体２４を送路２２の周りにルート設定し、搬送体２４に割り当てられた最終製品及びルートに基づいて、ユニット操作ステーション８４、８６、８８、９０を操作するように構成され得る。
【０１０２】
制御システム６２は、要求データに基づいて搬送体のための独立したルートを事前に割り当てる中央割当て機構として構成されてもよい。制御システム６２は、送路システム上で製造される最終製品についての要求を受信し、搬送体のためのルートを決定し（ここで、このルートは、１つ以上のユニット操作ステーションの状態に基づいて決定される）、推進されるべき搬送体を決定されたルートに沿って進行させて、１つ以上の要求された最終製品を製造し、この最終製品を脱荷ステーションに配送する。これらのステップは、上記の順序又は任意の順序で行われ得るが、ただし、製造する最終製品に対する少なくともいくらかの要求が最初に受け取られるものと理解されたい。一般的には、ルート設定されている搬送体が複数ある場合、制御システムは、異なる搬送体についてこのようなステップを行い得る。これらの搬送体は、任意の所定の時間にこれらのステップを通過する異なる段階にあってもよい（そして、制御システムは、任意の所定の時間に種々の搬送体について、これらのステップのいずれかを実行し得る）。
【０１０３】
ユニット操作ステーションの状態は、（ａ）ユニット操作ステーションの準備状態（ユニット操作ステーションが故障していないかどうか）、（ｂ）ユニット操作ステーションの１つ以上の能力（すなわち、ユニット操作ステーションの説明）、（ｃ）１つ以上のユニット操作ステーションにおいて将来完了することが予想されるか又はスケジューリングされる操作に関する情報（各ルートに沿った他の搬送体の進行を含む）、（ｄ）ユニット操作ステーションの能力利用に関する情報（すなわち、その能力がその最大能力に対してどれくらい使用されているか又は逆にその最大能力に対してどれくらい頻繁にアイドル状態にあるか）、（ｅ）他のユニット操作ステーションの能力利用に関する情報（他のユニット操作ステーションの利用（類似又は非類似）、（ｆ）ユニット操作ステーションへの原料（例えば、流動性材料、ラベルなど）の利用可能性に関する情報、及び（ｇ）ユニット操作ステーションに関する予測される保守活動に関する情報を含み得る。
【０１０４】
決定されたルートは、いくつかの場合には、１つ以上の他の搬送体の前又は１つ以上の他の搬送体の後に、１つ以上のユニット操作ステーションに到着することに対して１つ以上の制約を有してもよい。他の場合には、決定されたルートは、１つ以上の他の搬送体の前又は１つ以上の他の搬送体の後に、１つ以上のユニット操作ステーションに到達することに対して制約を有さない場合がある。決定されたルートは、搬送体のステータス情報に基づいて決定される。このようなステータス情報は、搬送体の容器保持インターフェースの種類、搬送体の最大速度、搬送体の最大加速度、搬送体により保持され得る最大容器重量、最大容器サイズ及び搬送体についての他の任意の関連情報を含み得る。決定されたルートは、全ての可能のあるルートのサブセットから選択されることができ、とりわけ、要求された最終製品の製造という結果をもたらす全ての可能のあるルートのセットから選択されることができる。決定されたルートは、可能性のあるルート（potential route）を比較することにより選択され、この場合、このような比較は、１つ以上のユニット操作ステーションの利用又は能力を考慮し、選択されたルートは、１つ以上のユニット操作ステーションの能力を最もよく利用するように選択されてもよい。
【０１０５】
決定されたルートは、他の搬送体がその予定されたルートに沿って実際に進行した程度を含めて、他の搬送体２４に割り当てられたルートを考慮し、これにより、過剰な搬送体が同様の時間に同様な場所に到達することにより引き起こされる渋滞を回避し、搬送体が適切な場所に所望の順序で到着することになることを確実にし得る。
【０１０６】
決定されたルートは、アルゴリズム（以下に記載される）を使用して決定されてもよく、ここで、アルゴリズムは、アルゴリズムの再帰的方法に対する修正を必要とせずに、広範囲の送路構成及びユニット操作ステーション構成に適用可能であるように、再帰的方法を含んでもよい。このアルゴリズムは、ユニット操作ステーションが、製造されるべき最終製品に対する要求を受け取るステップにおいて指定された最終製品の製造に寄与することを可能にするように、ユニット操作ステーションが他のユニット操作ステーションから部分的又は完全に完成した製品を要求するシステムを実装してもよい。ユニット操作ステーションからの要求は、必要とされる製品及びそれらの製品が必要とされ得る時間を記述してもよい。（しかしながら、載荷ユニット操作ステーションは、典型的には、部分的又は完全に完成した製品よりむしろ、搬送体についての要求を受け取ることになる）ユニット操作ステーションからの要求は、ルート決定アルゴリズムがユニット操作ステーションを適切な要求と結びつけるルートのみを考慮するのを可能にし、ルートを決定するために必要とされる時間及び処理能力を、送路に沿って搬送体のルート設定を行うためのあらゆる可能性のある方法のメリットを評価するアルゴリズムと比較して、実質的に低減する。このようなアルゴリズムは、短期間（例えば、１秒未満）又は非常に短期間（１００ミリ秒、５０ミリ秒、５ミリ秒又はいくつかの実施形態ではそれ以下）で、送路に沿って搬送体をルート設定するための多くの可能な方法（１０００億、１兆又はいくつかの実施形態では更に多くの方法が可能である）から、最良のルートを決定する問題を解決し得る。このようなアルゴリズムは、いくつかの実施形態の形態をとり得、そのうちのいくつかは、ユニット操作ステーションで要求される製品に数量又は優先順位を割り当てる場合がある。
【０１０７】
ここから、最終製品を製造するために協働する搬送体位置コントローラ１０４、製品スケジューリングコントローラ１０６及び送路システムコントローラ１０８の例が説明されることになる。まず、搬送体２４が空であるとき（システムの始動又は脱荷ステーションでの空にされたかのいずれかのため）、送路システムコントローラ１０８は、製品スケジューリングコントローラ１０６から、搬送体２４に割り当てられるべき次の最終製品を要求し得る。製品スケジューリングコントローラ１０６は、最終製品を搬送体２４に割り当てることができ、最終製品を完成するために搬送体２４がとる所望のルートを提供することができる。ついで、送路システムコントローラ１０８は、搬送体２４を容器載荷ステーション８４のうちの１つにルート設定することになる搬送体位置コントローラ１０４に座標を提供し得る。ついで、搬送体位置コントローラ１０４は、（指定された座標を介して）搬送体２４を容器載荷ステーション８４へとルート設定し、搬送体２４がその目的地に到達したときに、送路システムコントローラ１０８に通知する。ついで、送路システムコントローラ１０８は、容器載荷ステーション８４の操作を容易にし得る。容器３８が搬送体２４上に載せられた後、送路システムコントローラ１０８は、搬送体２４を充填／キャッピングステーション８６のうちの１つへとルート設定することになる搬送体位置コントローラ１０４に座標を提供し得る。ついで、搬送体位置コントローラ１０４は、（指定された座標を介して）搬送体２４を充填／キャッピングステーション８６へとルート設定し、搬送体２４がその目的地に到達したときに、送路システムコントローラ１０８に通知する。ついで、送路システムコントローラ１０８は、充填／キャッピングステーション８６の動作を容易にし得る。容器３８が充填され、キャッピングされた後、送路システムコントローラ１０８は、搬送体２４を加飾ステーション８８のうちの１つへとルート設定することになる搬送体位置コントローラ１０４に座標を提供し得る。ついで、搬送体位置コントローラ１０４は、（指定された座標を介して）搬送体２４を加飾ステーション８８へとルート設定し、搬送体２４がその目的地に到達したときに、送路システムコントローラ１０８に通知する。ついで、送路システムコントローラ１０８は、加飾ステーション８８の動作を容易にし得る。容器３８が加飾された後、送路システムコントローラ１０８は、搬送体２４を脱荷ステーション９０のうちの１つへとルート設定することになる搬送体位置コントローラ１０４に座標を提供し得る。ついで、搬送体位置コントローラ１０４は、（指定された座標を介して）搬送体２４を脱荷ステーション９０へとルート設定し、搬送体２４がその目的地に到達したときに、送路システムコントローラ１０８に通知する。ついで、送路システムコントローラ１０８は、脱荷ステーション９０の動作を容易にし得る。容器３８が搬送体２４から取り外された後、送路システムコントローラ１０８は、製品スケジューリングコントローラ１０６から、搬送体２４に割り当てられるべき次の最終製品を要求し得る。
【０１０８】
いくつかの実施形態では、送路システムコントローラ１０８は、搬送体２４を（製品スケジューリングコントローラ１０６により割り当てられた）所望の経路から逸脱させて、トラフィックの渋滞、順序違反（順序決定は後述する）及び／又は欠陥若しくは拒否状態（例えば、ボトルの欠落、キャップの欠落、キャップの不整合など）などの特定の問題を克服し得る。逸脱した経路は、製品スケジューリングコントローラ１０６及び／又は送路システムコントローラ１０８により決定され得る。
【０１０９】
搬送体位置コントローラ１０４、製品スケジューリングコントローラ１０６及び送路システムコントローラ１０８は、容器３８が様々な製造段階にあるように、送路２２の周りの搬送体２４の同時ルート設定を容易にし得ると理解されたい。搬送体２４の効果的かつ効率的な同時ルート設定を容易にするために、搬送体位置コントローラ１０４、製品スケジューリングコントローラ１０６及び送路システムコントローラ１０８は、搬送体２４及び／又は容器３８についての情報を共有し得る。例えば、送路システムコントローラ１０８は、製品スケジューリングコントローラ１０６と、搬送体２４の位置、各容器３８の生産状態及び／又は任意のルート逸脱を共有し得る。製品スケジューリングコントローラ１０６は、送路システムコントローラ１０８と、最終製品及び搬送体２４についてのルート割当てを共有し得る。
【０１１０】
上記されたように、製品スケジューリングコントローラ１０６は、送路システムコントローラ１０８により識別された空の各搬送体２４に対して、容器の種類、クロージャの種類、流動性材料の種類、装飾の種類及びルートを割り当て得る。この実施形態では、容器の種類、クロージャの種類、流動性材料の種類及び装飾の種類の割り当てが記載されているが、他の実施形態では、最終製品の他の属性が指定されてもよいと理解されたい。最終製品の他の属性は、容器若しくはその１つ以上の任意の部品の寸法に関係する値、最終製品を含む１つ以上の段階の完了時における製品の１つ以上の部品の質量に関係する値、充填量若しくはレベル又は前述した属性若しくは後で説明する属性と同様の追加属性、例えば、表ラベルの種類及び裏ラベルの種類を含み得る。更に多くの他の完成製品の属性は、前述の最終製品の属性又は他の最終製品の属性のうちの任意の１つ以上に関する目標又は許容可能な値の範囲を含んでもよい。更に、他の最終製品の属性は、指定された最終製品の操作中に使用されるユニット操作ステーションの設定に関連するパラメータを含んでもよい（例えば、ボトルの高さは、充填ノズルが調整されることになる高さを指示することになる）。
【０１１１】
容器の種類、クロージャの種類、流動性材料の種類、装飾の種類及び空の各搬送体２４についてのルートを割り当てることにおいて、製品スケジューリングコントローラ１０６により実施される制御ルーチンの一実施形態が、ここから検討されることになる図１０、図１１、図１２、図１３Ａ及び図１３Ｂに概略的に図示される。製品スケジューリングプロセスは、４つのフェーズ−順序決定フェーズ（図１０）、要求伝搬フェーズ（図１１）、有効ルート識別フェーズ（図１２）及びルート順位付けフェーズ（図１３Ａ及び図１３Ｂ）に分けられ得る。一般的には、順序決定フェーズの間に、製造スケジュールが、各脱荷ステーション９０に割り当てられ得る。要求伝搬フェーズの間に、各脱荷ステーション９０の製造スケジュールにより指定された最終製品の１つ以上に寄与するように、要求を有する又は有することになるユニット操作ステーションが識別される。有効ルート識別フェーズの間に、ユニット操作ステーションの要求情報に基づいて、現在の搬送体２４についての複数の有効なルートが識別される。ルート順位付けフェーズの間に、最良のルート及び関連する最終製品は、有効ルート識別フェーズの間に生成される複数の有効ルートから選択され得る。
【０１１２】
ここから図１０を参照して、順序決定フェーズを、より詳細に検討することになる。まず、製造オーダーを、製品スケジューリングコントローラ１０６に提供し得る（ステップ２００）。製造オーダーは、所望される包装の数量と、各包装において提供される最終製品の種類と、を含み得る。各包装は、異なる種類及び／又は量の最終製品を含んでもよい。包装内に提供される最終製品の種類を説明する際に、製造オーダーは、順序決定情報を更に指定してもよい。この順序決定情報は、製品の明確な到着順序を指定するか、又は、包装のための製品到着順序が重要でないことを指定するか、又は、それらの組み合わせ（例えば、１つ以上の第１の製品が１つ以上の第２の製品の前に到着しなければならないが、１つ以上の第３の製品に関しては任意の順序で到着すること）を指定してもよい。一実施形態では、製造オーダーは、上流のコンピュータシステムで受信された顧客のオーダーから（例えば、調達ソフトウェアプログラムから）生成され得る。上流のコンピュータシステムは、製造オーダーを製品スケジューリングコントローラ１０６に伝達することができ、ついで、同コントローラ１０６は、充足のために、脱荷ステーション９０に包装を割り当てることができる（２０５）。包装は、特定の順序で脱荷ステーション９０に割り当てられ、これにより、各脱荷ステーション９０の製造スケジュールが確立される。この順序は、各脱荷ステーション９０における包装の製造順序を指定するが、送路システム２０全体による包装の製造順序は指定しない。
【０１１３】
具体例を使用して更に説明すると、製造オーダーが包装１、２、３、４、５及び６を記述する場合、包装は、２、１、５の順序で第１の脱荷ステーション９０に割り当てられてもよく、包装は、３、６、４の順序で第２の脱荷ステーション９０に割り当てられてもよいが、送路システム２０は、２、１、３、５、６、４の順序又は２、３、１、６、５、４の順序又は３、６、４、２、１、５の順序、あるいは、特定の脱荷ステーション９０の包装順序に違反しない他の任意の順序で包装を製造してもよい。前述の具体例では、包装の製造を順序決定されたプロセスとして説明しているが、２つ以上の包装が同時に、製造されるプロセス中にあるように、複数の包装を供給する最終製品を同時に製造することでき、そのため、記載された順序は、包装の製造プロセスの完了を指し、２つ以上の包装が、ほぼ正確に同じタイミングで完了する可能性があることに留意する必要がある。
【０１１４】
脱荷ステーション９０のうち少なくとも１つに包装が割り当てられると、送路システムコントローラ１０８は、ルート及びそれに対応する最終製品を割り当てるために搬送体２４（現在の搬送体）を選択し得る。搬送体２４は、送路２２上の複数の搬送体２４の中から（例えば、送路システム２０が最初に初期化／始動されるとき）又は搬送体２４が以前に割り当てられた最終製品を完了したときに（例えば、脱荷ステーション９０を出た後に）選択され得る。最も典型的には、選択された搬送体は空である。しかしながら、いくつかの場合には、搬送体２４は、ルート実行中に以前のルートを中止している場合があり（例えば、ユニット操作ステーションが故障しているため）、これにより、搬送体２４は、空でなくても、新しいルートの割当てのために選択される場合がある。搬送体２４が選択されると、送路システムコントローラ１０８は、製品スケジューリングコントローラ１０６から、その搬送体２４に割り当てられるべきルート及び関連する最終製品を要求し得る。各ルート要求は、搬送体の種類と、容器を載せることを含むが、容器を降ろすことを含まない以前のルートにおけるその搬送体上で既に完了した任意の操作と、を記述する。
【０１１５】
要求伝搬フェーズ（２１５）について、ここから図１０及び他の図面を参照して、より詳細に検討することになる。一実施形態（以下、割当て−時間計算要求実施形態（Assignment-Time Calculated Demand Embodiment）と呼ばれる）では、要求伝搬フェーズ（２１５）は、送路システムコントローラ１０８からルート要求を受信したときに開始される。別の実施形態（以下、事前計算要求実施形態（Pre-Calculated Demand Embodiment）と呼ばれる）では、要求伝搬フェーズ（２１５）は、送路システムコントローラ１０８からのルート要求を待つことなく開始することができ、これにより、要求伝搬フェーズ（２１５）が既に完了していることになるため、送路システムコントローラ１０８からのルート要求に応答してより短い時間でルートを割り当てることができる。これは、要求伝搬フェーズ（２１５）がルート割当てのために搬送体２４を以前に選択したことに依存しないため可能である。事前計算要求実施形態の欠点は、要求伝搬フェーズ（２１５）が必要以上に多くの回数実行される場合があるため、全体的により多くの計算を必要とする場合があることである。割当て−時間計算要求実施形態と、事前計算要求実施形態と、をトリガするイベントは異なるが、要求計算プロセスは同じであり、次でより詳細に説明することになる。
【０１１６】
まず、製品スケジューリングコントローラ１０６は、脱荷ステーション９０の製造スケジュールにより指定されたオーダーで脱荷ステーション９０の製造スケジュールを満たすために、利用可能な（例えば、故障していない）脱荷ステーション９０それぞれにおいて、次に必要とされる全最終製品を識別することができ、これらの製品に対応する要求項目を確立する（３００）。これらの要求項目は、各脱荷ステーション９０に現在割り当てられ、製造スケジュールにより定義された全体的な包装のオーダーと干渉することなく、次に包装を行い得る最終製品を記述すると理解することができ、ここで、どの搬送体２４にも、それにより満たすルート及び関連する最終製品は、予め割り当てられていない。また、要求項目は、最終製品を製造するプロセスにおけるステップの全てではなく１つ以上を完了した部分最終製品又は空の搬送体（載荷ユニット操作ステーションの場合）であってもよい。このため、要求項目３００は、最終製品又は部分最終製品である場合がある製品の記述を含むと理解され得る。
【０１１７】
更に、各要求項目は、タイムスパンも記述する。各要求項目により記述されるタイムスパンは、このような製品がユニット操作ステーション、この場合では、脱荷ステーション９０であるユニット操作ステーションに到着すべき時間範囲を指定する。この時間範囲により、要求項目が、ある製品が、前もって必要な（prerequisite）製品より早く到着することについても、後に必要な（postrequisite）製品より遅く到着することについても、必要性を記述しないことを確保する。以下で記述される追加の処理を通じて、この時間範囲は、より一般的に、記述された製品の到着がシステム制約に何ら違反しない場合の時間範囲を表すものとして記述され得る。
【０１１８】
更に、ユニット操作ステーションが１つ以上の要求項目を有すると言うことができ、又は、ユニット操作ステーションが要求項目を有さないと言うことができるように、各要求項目は、特定のユニット操作ステーションに関連付けられる。更に、各要求項目は、関連付けられたユニット操作ステーションで行われることになる特定の種類の操作に関連付けられる。製品スケジューリングコントローラ１０６が各脱荷ステーション９０についての全ての適切な要求項目を確立し終えると、最も遠い下流のユニット操作ステーション群が、要求伝搬のために選択され、以下、要求予測ユニット操作ステーション群（Unit Operation Station Group Projecting Demand）と呼ばれる。要求予測ユニット操作ステーション（Unit Operation Station Projecting Demand）に関連付けられた要求項目は、ここで、改良（３１０）を受け、先にスケジューリングされた搬送体２４について、要求予測ユニット操作ステーションのインフィードキューが一杯になることをもたらすと予測される時間を含まないようにされる。ここで、この改良（３１０）は、要求項目の変更なし、要求項目を２つ以上の追加要求項目に分割（ここで、追加要求項目はタイムスパンを除く全てにおいて元の要求項目と同一）、開始時間若しくは終了時間の一方若しくは両方を調整することにより関連付けられたタイムスパンを短縮、又は要求項目を完全に削除、のうちのいずれかであってよい。次に、要求予測ユニット操作ステーション群における各ユニット操作ステーションに関連付けられた各要求項目が評価される。ついで、製品スケジューリングコントローラ１０６は、要求予測ユニット操作ステーション群の上流にある最も遠い下流のユニット操作ステーション群（すなわち、要求予測ユニット操作ステーション群におけるユニット操作ステーションに進む直前に搬送体２４が遭遇する可能性があるユニット操作ステーション）を識別することができ、以下、要求伝搬ユニット操作ステーション群（Unit Operation Station Group Propagating Demand）と呼ばれる。
【０１１９】
また、各ユニット操作は、存在しないユニット操作（仮想ユニット操作）の代表（representation）に関連付けられてもよい。全ての容器が全てのユニット操作ステーションで処理を受ける必要があるわけではないため、仮想ユニット操作は、容器が１つ以上のユニット操作をバイパスすることを可能にする、又は、このようなユニット操作ステーションにより行われる処理を有さないことを可能にするコンピュータプログラム内のメカニズムに過ぎない。例えば、システムに提供される容器が予めラベル付けされたボトルを含む場合、加飾ステーションで容器にラベル付けする必要はないことになる。
【０１２０】
図１の例では、要求項目を有する脱荷ステーション９０の上流にある最も遠い下流のユニット操作ステーション群は、加飾ステーション８８であり得る。ついで、製品スケジューリングコントローラ１０６は、要求伝搬ユニット操作ステーション群から１つのユニット操作ステーション（以下、要求伝搬ユニット操作ステーション（Unit Operation Station Propagating Demand）と呼ばれる）を選択し得る。ついで、製品スケジューリングコントローラ１０６は、要求伝搬ユニット操作ステーションが現在利用可能であるかどうか（３１５）、又は、現在評価されている要求項目により記述される製品の１つ以上の属性を確立することになる１つ以上の操作をサポートするかどうか（３２０）を判定し得る。要求伝搬ユニット操作ステーションが現在利用できない場合、又は、現在評価されている要求項目により記述される製品の１つ以上の属性を確立することになる１つ以上の操作をサポートしない場合、要求伝搬ユニット操作ステーションにより処理されているこの要求項目の評価は完了する。要求伝搬ユニット操作が現在利用可能であり、かつ、要求項目により記述される製品の１つ以上の属性を確立することになる１つ以上の操作をサポートする場合、製品スケジューリングコントローラ１０６は、要求伝搬ユニット操作ステーションが容器上でその操作を完了するためにかかる時間（例えば、操作時間）であり得る時間遅延（３３０）を、要求伝搬ユニット操作ステーションから１次運送部７６上の下流インターフェースポイントまでの移動時間と、１次運送部７６上の上流インターフェースポイントから要求項目に関連付けられたユニット操作ステーションへの移動時間と、を加えて計算し得る。このため、上記時間遅延（３３０）によりオフセットされた、評価されている要求項目により指定されたタイムスパンは、操作がユニット操作ステーションで開始し得る時間範囲を意味するとみなされ得る。
【０１２１】
インターフェースポイントは、製品スケジューリングコントローラにより確立され，維持されるべき必要な構成の数を減らすため、有利である。インターフェースポイントがない場合、製品スケジューリングコントローラは、搬送体をユニット操作ステーション群における全てのユニット操作ステーションから隣接する下流のユニット操作ステーション群における全てのユニット操作ステーションに移動させるために、予測移動時間についての構成を記憶しておかなければならない。図１に示された送路構成について、ユニット操作ステーション８６のこのような構成のみを考慮すると、隣接する下流のユニット操作ステーション群には４つのユニット操作ステーション８８が存在し、４つのユニット操作ステーション８６はそれぞれ、４つの予測移動時間構成を必要とすることになり、合計で１６の予測移動時間構成となる。インターフェースポイントがある場合、製品スケジューリングコントローラは、次のインターフェースポイントへの、および、インターフェースポイントから隣接する下流のユニット操作ステーション群におけるユニット操作ステーションへの予測移動時間のための構成のみを記憶する。このため、ユニット操作ステーション８６の例では、Ｉ３への４つの予測移動時間（各ユニット操作ステーション８６から１）及びＩ３からの４つの予測移動時間（各ユニット操作ステーション８８までに１）を含む、８つの構成のみを記憶する必要がある。インターフェースポイントを使用する利益は、より大きな送路システムでは更に大きい。例えば、１００個のユニット操作ステーション８６及び９０個のユニット操作ステーション８８が存在した場合、インターフェースポイントなしでは、９，０００の構成が必要とされることになるが、インターフェースポイントにより、必要とされる構成は１９０のみである。
【０１２２】
ついで、新たな要求項目を作成することができ（３４０）、ここで、新たな要求項目は、要求伝搬ユニット操作ステーションに関連付けられ、評価されている要求項目のタイムスパンから時間遅延（３３０）を引いたものとして指定されるタイムスパンを有する。新たな要求項目により記述された製品は、評価されている要求項目により記述される製品から、要求伝搬ユニット操作ステーションで完了される操作により確立される１つ以上の属性を引いた製品である。新たな要求項目のタイムスパンは、先にスケジューリングされた搬送体２４が要求伝搬ユニット操作ステーションのインフィードキューが一杯になるのをもたらすと予測される時間を含まないように、第１の改良（３４５）を受けることになる。ここで、この第１の改良（３４５）は、新たな要求項目の変更なし、新たな要求項目を２つ以上の追加要求項目に分割（ここで、追加要求項目はタイムスパンを除く全てにおいて新たな要求項目と同一である）、開始時間若しくは終了時間の一方若しくは両方を調整することによりタイムスパンを短縮、又は新たな要求項目を完全に排除、のいずれかであってよい。
【０１２３】
この第１の改良（３４５）及び改良（３１０）は、搬送体２４をその要求を満たすように割り当てることにより、要求伝搬ユニット操作ステーションのインフィードキューの容量を超えることになる時間の間、要求の回避を達成することから、有用である。これにより、搬送体２４が、送路セクション（２次運送部）７８の一部若しくは全部及び／又は送路セクション（１次運送部）７６の一部若しくは全部を遮断し得る。更に、この第１の改良は、搬送体２４をその要求を満たすように割り当てることが搬送体２４により要求伝搬ユニット操作ステーションのインフィードキューがその容量を超えるのを引き起こすことになる時間の間、要求を回避するように、新たな要求項目のタイムスパンを同様に改良し得る。ここで、このような容量違反は、その搬送体２４の到着により直接、又は、先にスケジューリングされたが後に到着する他の搬送体２４のカスケードインパクトにより間接的に、のいずれかにより引き起こされることになり、また、このような容量は、要求伝搬ユニット操作ステーションに関連付けられた構成パラメータにより表される。
【０１２４】
第１の改良（３４５）が完了すると、新たな要求項目又は追加の要求項目の任意の残りのセット（以下、まとめて「残りの要求項目のセット」と呼ばれる）は、記述された製品に対する操作を開始することが何らかのシステム制約に違反しないことになるタイムスパンを表すと理解され得る。残りの要求項目のセットは、今度は、得られたタイムスパンが、要求伝搬ユニット操作ステーションのインフィードキューへの記述された製品の到着がシステム制約に違反しないことになるタイムスパンを表すように、先にスケジューリングされた搬送体２４に従って調整するために、再び時間シフトされ、これにより、搬送体２４が操作を開始する前に要求伝搬ユニット操作ステーションのインフィードキューで待機中であることになる時間が考慮され、これは、送路システムコントローラ１０８から製品スケジューリングコントローラ１０６と共有される搬送体２４位置情報と組み合わせた、他の搬送体２４への先に割り当てられたルートに基づいて知ることができる。残りの要求項目のセットに適用されるこの時間シフトは、要求伝搬ユニット操作ステーションにより処理されるこの要求項目の評価の完了を示す。
【０１２５】
要求伝搬ユニット操作ステーションにより処理されるこの要求項目の評価が完了する（例えば、要求伝搬ユニット操作ステーションが、この要求項目に不適切であることが判明しているか、又は、何らかの新たな要求項目が作成及び改良されているかのいずれかである）と、製品スケジューリングコントローラ１０６は、要求伝搬ユニット操作ステーション群における他のユニット操作ステーションそれぞれにより処理されているこの要求項目を、要求伝搬ユニット操作ステーションにより処理されているこの要求項目を評価するために使用されたのと同じプロセスにより評価することに進み得る。
【０１２６】
要求伝搬ユニット操作ステーション群におけるユニット操作ステーションのそれぞれにより処理されているこの要求項目の評価が完了すると、製品スケジューリングコントローラ１０６は、要求伝搬ユニット操作ステーション群におけるユニット操作ステーションのそれぞれにより処理されている要求予測ユニット操作ステーションに関連付けられた各要求項目の評価を続けることに進む。
【０１２７】
要求伝搬ユニット操作ステーション群におけるユニット操作ステーションのそれぞれによる要求予測ユニット操作ステーションに関連付けられた各要求項目の評価が完了すると、製品スケジューリングコントローラ１０６は、要求伝搬ユニット操作ステーション群におけるユニット操作ステーションのそれぞれにより処理されている要求予測ユニット操作ステーション群における他のユニット操作ステーションのそれぞれに関連付けられた各要求項目を評価する。これが完了すると、要求予測ユニット操作ステーション群におけるユニット操作ステーションに関連付けられた要求項目についての要求伝搬が完了し、要求伝搬ユニット操作ステーション群におけるユニット操作ステーションに関連付けられた新たな要求項目が作成される場合がある。次に、要求伝搬フェーズでは、製品スケジューリングコントローラ１０６が、要求予測ユニット操作ステーション群として要求伝搬ユニット操作ステーション群を選択し、要求伝搬ユニット操作ステーション群として要求伝搬ユニット操作ステーション群の上流にある最も遠い下流のユニット操作ステーション群を選択するのを継続し、同様に、新たな要求予測ユニット操作ステーション群に関連付けられた任意の要求項目についての要求伝搬を完了する。このプロセスは、最も遠い上流のユニット操作ステーション群が要求予測ユニット操作ステーション群として選択されることになるまで繰り返され、その時点で、要求伝搬フェーズが完了する。
【０１２８】
要求伝搬フェーズの別の実施形態では、各ユニット操作ステーション群についての処理要求の間に（例えば、異なるユニット操作ステーション群が要求予測ユニット操作ステーション群として選択されるたびに）、追加の要求集約ステップが実行されてもよい。要求集約ステップは、新たに選択された要求予測ユニット操作ステーション群における各ユニット操作ステーションに関連付けられた要求項目を調査し、上流インターフェースポイントからの移動時間における差を考慮した（accounting for）後、この既存の要求項目のセットに基づいて新たな要求項目のセットを作成する。ここで、新たな要求項目のセットは、インターフェースポイントに到着する製品がシステム制約に違反しないことになる期間を記述する。新たな要求項目のセットを確立することにおいて、類似の製品に重複するタイムスパンを排除することができ、隣接する要求項目をマージすることができ、処理すべき要求項目の数を減らすことができる。これは、要求伝搬フェーズを完了するために必要な処理時間を短縮するために有利である。このような追加の要求集約ステップが使用される場合、新たな要求項目のセットは、要求予測ユニット操作ステーション群に関連付けられた要求項目の代わりに、要求伝搬ユニット操作ステーション群に対して予測され、計算された時間遅延３３０は、この移動時間が既に考慮されて（accounted for）いたため、インターフェースポイントから要求予測ユニット操作ステーションまでの移動時間を計算に入れない（factor in）。
【０１２９】
要求伝搬フェーズの更に別の実施形態では、要求項目は、記載された製品の数量を指定することもできる。これらの数量が関連付けられた要求項目と共に伝搬されると、追加要求情報が、製造スケジューリングプロセスの後続フェーズに利用可能となり、これにより、製造効率のより良い最適化を助けることができ、通常必要とされることになるように、ルート割り当ての間で要求伝搬フェーズを実行することなく、２つ以上のルートを割り当てるために使用することができる。これは、製品スケジューリングコントローラ１０６が実行しなければならない計算量を減らすために有利であり得る。
【０１３０】
ここから図１２を参照して、有効ルート識別フェーズをより詳細に記載する。送路システムコントローラ１０８からルート要求４００（ルート要求４００は、搬送体の種類及び組立状態の記述を含む）を受け取ると、製品スケジューリングコントローラ１０６は、有効ルート識別フェーズに入り得る。まず、事前計算要求実施形態の場合のように、要求伝搬フェーズが未だに完了していない場合、要求伝搬フェーズがここで完了される。予測ルート時間は、ルート要求４００が製品スケジューリングコントローラ１０６により受け取られた時間として確立される。現在の製品の種類は、ルート要求によって記述される搬送体及び組立状態として確立される。最も遠い上流のユニット操作ステーション群の各ユニット操作ステーションについて、反復ルート識別プロセス４０５を完了する。
【０１３１】
反復ルート識別プロセス４０５は、製品スケジューリングコントローラ１０６が可能性のあるルートバッファ（potential route buffer）を確立すること、および、もし存在するならば先の可能性のあるルートバッファの内容をコピーすることにより開始する４１０。反復ルート識別４０５プロセスでは、製品スケジューリングコントローラ１０６が、上流のインターフェースポイントから現在のユニット操作ステーションまで移動するためにかかる時間を加えることにより、予測ルート時間を修正するのを継続する。反復ルート識別プロセスは、製品スケジューリングコントローラ１０６が、現在のユニット操作ステーションが現在の製品の種類を記述する要求項目を有するかどうかを判定するのを継続する４１５。ここで、関連付けられたタイムスパンは、予測されたルート時間を含み、このような要求項目は、以下、関連要求項目と呼ばれる。関連要求項目が存在しない場合、可能性のあるルートバッファは削除され４２０、反復ルート識別プロセス４０５のこのインスタンスにより、それ以上のアクションは取られない。関連要求項目が存在する場合、反復ルート識別プロセス４０５は、現在のユニット操作ステーション及び関連要求項目により指定された操作を記述する情報を可能性のあるルートバッファ４２５に追加することにより継続する。
【０１３２】
現在のユニット操作ステーションが最も遠い下流のユニット操作ステーション群の一部ではない場合４３０、反復ルート識別プロセス４０５の新たなインスタンスが、現在のユニット操作ステーションが属するユニット操作ステーション群の直ぐ下流のユニット操作ステーション群における各ユニット操作ステーションに対して開始され、ここで、反復ルート識別プロセス４０５の新たなインスタンスには、このルートの実行中に搬送体が現在のユニット操作ステーションのインフィードキューで待機するために費やすことになる時間（この時間は、先にスケジューリングされた搬送体２４及び送路システムコントローラ１０８から共有される情報に基づく）、搬送体が現在のユニット操作ステーションにおいて関連要求項目により指定された操作を受けるために費やすことになる時間、および、現在のユニット操作ステーションから下流のインターフェースポイントまでの移動時間を加えるように修正された予測ルート時間が提供される。同様に、反復ルート識別プロセスの新たなインスタンスには、それらの新たな可能性のあるルートバッファにコピーするために、このインスタンスの可能性のあるルートバッファが提供される。同様に、反復ルート識別プロセスの新たなインスタンスにより考慮される製品の種類は、反復ルート識別プロセスのこのインスタンスにより考慮される製品の種類であるとみなされ、関連要求項目により指定される操作により確立される１つ以上の属性を含むように修正される。現在のユニット操作ステーションが最も遠い下流のユニット操作ステーション群に属する場合、可能性のあるルートバッファは、有効なルートのリストに追加され４３５、反復ルート識別プロセス４０５のこのインスタンスを完了する。
【０１３３】
反復ルート識別プロセス４０５の各インスタンスが完了すると、有効なルートのリストは、ルート要求４００で指定された搬送体２４が割り当てられ得る全ての可能性のあるルートのリスト、すなわち、システムの制約に違反することなく、製造オーダーにより指定された包装に製品を配送することになる、全ての可能性のあるルートのリストを含む。反復ルート識別プロセス４０５の各インスタンスが完了すると４４０、有効ルート識別フェーズが完了し、ルート順位付けフェーズが開始する４４５。一実施形態では、有効ルート識別フェーズは、有効なルートのリストにおけるルートの数が指定数未満である場合にのみ継続することになる。これは、指定された数未満のルートを識別するという効果を有することとなり、これは、有効ルート識別フェーズの最悪の場合の処理時間を短縮するために有益であり得るが、この実施形態は、有効ルートとして最良のルートを識別しないというリスクをもたらす。ルートの指定数は、固定数でもよく、又は、製品スケジューリングコントローラ１０６のプロセッサ利用に関するパラメータに基づいて計算された数でもよい。
【０１３４】
ここから図１３Ａ及び図１３Ｂを参照して、ルート順位付けフェーズをより詳細に検討することになる。ルート順位付けフェーズは、まず、ルートメトリック生成サブフェーズを受け、続けて、ルートソーティングサブフェーズを受けることを含む。
【０１３５】
ここから、ルートメトリック生成サブフェーズをより詳細に検討することになる。まず、製品スケジューリングコントローラ１０６は、ユニット操作ステーション群内の各ユニット操作ステーションの利用に基づいて、ユニット操作ステーション群ごとに重み係数を計算する（５１０）ことができ、ここで、未使用容量（unused capacity）が少ないユニット操作ステーション群は、より大きな重み係数値をもたらすことになる。この重み係数により、後で記述する計算で、最もビジーなユニット操作ステーションの容量利用の最適化を優先させることができるため、より良好な製造最適化を可能にする。有効ルートのリスト内の各ルートについて、製品スケジューリングコントローラ１０６は、キュー長（ＱＬ）メトリック、未使用ユニットカウント（ＵＣ）メトリック、ほぼ欠乏したユニットカウント（ＮＳＣ）メトリック、スケジューリング済搬送体カウント（ＶＡＳＣ）メトリック及び非製造時間（ＮＰＴ）メトリックを識別するために、以下の計算を実行することになる。ＱＬメトリックは、このルートが選択された場合に、この搬送体２４が到着することになる時点で、現在の有効ルートに沿った各ユニット操作ステーションにおけるインフィードキュー長さの合計に関連する。ＵＣメトリックは、現在の有効ルートに沿うユニット操作ステーションの数であって、このルートが選択された場合、この搬送体２４が到着する前の指定された期間の間、アイドル状態であり、欠いた状態にあることになる、ユニット操作ステーションの数に関連する。ＮＳＣメトリックは、現在の有効ルートに沿ったユニット操作ステーションの数であって、この搬送体２４によるこのルートの選択及び実行がない場合に、アイドル状態になることになる、ユニット操作ステーションの数に関連する。ＶＡＳＣメトリックは、現在の有効ルートに沿ってユニット操作ステーションに将来到着するようにスケジューリングされた、先にスケジューリングされた搬送体２４の数に関連する。ＮＰＴメトリックは、この搬送体２４が現在の有効ルートに沿ったユニット操作ステーションのインフィードキューで移動又は待機に費やすことになる時間に関連する。製品スケジューリングコントローラ１０６は、ＱＬメトリック、ＵＣメトリック、ＮＳＣメトリック、ＶＡＳＣメトリック及びＮＰＴメトリックのそれぞれを最初にゼロに設定し得る。
【０１３６】
現在の有効ルートに沿った各ユニット操作ステーションについて、ルートのＱＬメトリック、ＵＣメトリック、ＮＳＣメトリック、ＶＡＳＣメトリック及びＮＰＴメトリックを更新するために、以下の計算が実行される。製品スケジューリングコントローラ１０６は、搬送体２４がユニット操作ステーションに到着すると予想される時に、重み係数にインフィードキュー長を乗じることにより、ＱＬ値を計算し得る（５１５）。ＱＬ値を、ＱＬメトリックに加え得る（５２０）。ついで、製品スケジューリングコントローラ１０６は、ＵＣ値を計算し得る（５２５）。このユニット操作ステーションが、このユニット操作ステーションへのこの搬送体２４の予測される到着の直前の特定期間の間に操作がスケジューリングされている他の搬送体２４を有していない場合、ＵＣ値は、重み係数である。そうでなければ、ＵＣ値はゼロである。ＵＣ値を、ＵＣメトリックに加え得る（５３０）。ついで、製品スケジューリングコントローラ１０６は、ＮＳＣ値を計算し得る（５３５）。この搬送体の到着及びそれに続く関連操作がない場合に、このユニット操作ステーションが、アイドル状態にあることになる場合、ＮＳＣ値は、重み係数である。そうでなければ、ＮＳＣ値はゼロである。ＮＳＣ値を、ＮＳＣメトリックに加え得る（５４０）。ついで、製品スケジューリングコントローラ１０６は、重み係数に、ユニット操作ステーションに将来到着するようにスケジューリングされた、先にスケジューリングされた搬送体２４の数を乗じることにより、ＶＡＳＣ値を計算し得る（５４５）。ＶＡＳＣ値を、ＶＡＳＣメトリックに加え得る（５５０）。ついで、製品スケジューリングコントローラ１０６は、重み係数に、１）１次運送部７６上の上流インターフェースポイントからこのユニット操作ステーションまでの移動時間、２）現在の搬送体がこのユニット操作ステーションのインフィードキューで待機すると予測される時間、及び３）このユニット操作ステーションから１次運送部７６上の下流のインターフェースポイントまでの移動時間の和を乗じることにより、ＮＰＴ値を計算し得る（５５５）。ＮＰＴ値を、ＮＰＴメトリックに加え得る（５６０）。ＱＬメトリック、ＵＣメトリック、ＮＳＣメトリック、ＶＡＳＣメトリック及びＮＰＴメトリックの全てが有効ルートのリスト内の全てのルートについて計算されると、ルートメトリック生成サブフェーズが完了し、製品スケジューリングコントローラ１０６は、ルートソーティングサブフェーズを開始する。
【０１３７】
ここから図１３Ｂを参照して、ルートソーティングサブフェーズをより詳細に記述することになる。ルートソーティングサブフェーズでは、ルートメトリック生成サブフェーズ中に生成されたメトリックを比較して、有効ルート識別フェーズにおいて識別された有効なルートのリストから現在の搬送体２４についての最良のルートを識別することになる。有効なルートのリストにおける各ルートは、ルートメトリック生成サブフェーズ中に生成されたメトリックに基づいて、有効なルートのリストにおける他のルートと比較される。より小さいＱＬメトリックを有するルートは、より良好なルートである５８５。ＱＬメトリックが同一である場合、より高いＵＣメトリックを有するルートは、より良好なルートである５９５。ＱＬメトリックとＵＣメトリックとが同一である場合、より高いＮＳＣメトリックを有するルートは、より良好なルートである６００。ＱＬメトリック、ＵＣメトリック及びＮＳＣメトリックが同一である場合、より高いＶＡＳＣメトリックを有するルートは、より良好なルートである６０５。ＱＬメトリック、ＵＣメトリック、ＮＳＣメトリック及びＶＡＳＣメトリックが同一である場合、より低いＮＰＴメトリックを有するルートは、より良好なルートである６１０。ＱＬメトリック、ＵＣメトリック、ＮＳＣメトリック、ＶＡＳＣメトリック及びＮＰＴメトリックが同一である場合、いずれのルートも他のルートよりも良好ではなく６１５、したがって、ルートは任意に選択される。
【０１３８】
製品スケジューリングコントローラ１０６が有効なルートのリストから最良のルートを識別すると、ルートの詳細が送路システムコントローラ１０８に通信され、これにより、送路システムコントローラ１０８がルートにより指定されたとおりに搬送体２４を移動させ、ルートにより指定されたとおりにユニット操作ステーションを操作し得る。
【０１３９】
ルートソーティングサブフェーズの多数の代替実施形態が可能である。ルートソーティングサブフェーズの１つの代替実施形態は、ＱＬメトリック、ＵＣメトリック、ＮＳＣメトリック、ＶＡＳＣメトリック及びＮＰＴメトリックのいくつか又は全てと、各メトリックについての重み係数との積の合計として、各ルートについての全体的なルートスコアを計算し得る。この実施形態では、各メトリックに関連する重み係数を修正することにより変更可能な程度で、各メトリックが考慮されることになる。
【０１４０】
各搬送体の最良のルートを決定するために、ルート決定は、送路に沿って移動するために必要な予測時間又は操作を完了させるために必要な予測時間のための構成を考慮してもよい。送路システムコントローラにより、送路の一部分に沿った搬送体の移動の完了が観測されると、送路のその部分に沿って移動するために必要な予側時間についての構成又は上記時間における変動の程度に関連する構成、例えば、過去に観測された上記時間セットの標準偏差について、自動的に更新してもよい。同様に、送路システムコントローラにより、操作の完了が観測されると、そのユニット操作ステーションとしてその操作に必要な予測時間についての構成又は上記時間における変動の程度に関連する構成、例えば、過去に観測された上記時間セットの標準偏差について、自動的に更新してもよい。このようにして、ルートの決定は、ルート決定ステップが手動労力を必要とせずに、各使用についてより効果的になるように、手動労力なしに、送路のパフォーマンス又はユニット操作ステーションのパフォーマンスの変化に適応するように、自己最適化し得る。
【０１４１】
本開示の実施形態及び実施例の上記の説明は、例示及び説明の目的で示したものである。かかる説明は、包括的であることも、説明された形態に本開示を限定することも意図するところではない。上記の教示を鑑みることで数多くの改変が可能である。これらの改変のいくつかについては検討したが、他のものは当業者には理解されるであろう。各実施形態は、本開示の原理及び想到される具体的な用途に適した様々な実施形態を最も分かりやすく説明するために選択及び記載したものである。本開示の範囲は、無論のこと、本明細書に記載される実施例にも実施形態にも限定されるものではないが、当業者によって任意の数の用途及び等価の装置において用いることができる。むしろ、本発明の範囲は、添付の特許請求の範囲により定義されることが意図される。また、特許請求される、かつ／又は記載されるいずれの方法についても、その方法がフロー図に関連して説明されているか否かにかかわらず、特にそうでない旨が断られるか又は文脈により必要とされる場合を除き、ある方法を実施するうえで行われるステップの明白な又は暗黙のあらゆる順序付けは、これらのステップが示された順序で行われなければならないことを意味するものではなく、これらのステップは、異なる順序で、又は並行して行うことができるものである点は理解されなければならない。
【０１４２】
本明細書に開示されている寸法及び／又は値は、列挙した正確な数値寸法及び／又は値に厳しく制限されるものとして理解すべきではない。むしろ、別段の指定のない限り、このような各寸法及び／又は値は、列挙した寸法及び／若しくは値並びにその寸法及び／若しくは値の近辺の機能的に同等の範囲を意味することを意図している。例えば、「４０ｍｍ」として開示される寸法は、「約４０ｍｍ」を意味するものとする。
【０１４３】
本明細書の全体を通して記載される全ての最大数値限定は、それよりも小さい全ての数値限定を、かかるより小さい数値限定があたかも本明細書に明確に記載されているかのように包含するものと理解すべきである。本明細書全体を通して与えられる全ての最小数値限定は、それよりも高い全ての数値限定を、かかるより高い数値限定があたかも本明細書に明示的に記載されているかのように含むことになる。本明細書全体を通して与えられる全ての数値範囲は、かかるより広い数値範囲内に含まれるより狭い全ての数値範囲を、かかるより狭い数値範囲があたかも全て本明細書に明示的に記載されているかのように含むことになる。
【０１４４】
あらゆる相互参照又は関連特許若しくは関連出願を含む、本明細書に引用される全ての文献は、明確に除外ないしは別の方法で限定されない限り、参照によりその全体が本明細書に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明を教示、示唆、又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１４５】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2019531981.tif 000003
【図１Ａ】
2019531981.tif 000004
【図１Ｂ】
2019531981.tif 000005
【図１Ｃ】
2019531981.tif 000006
【図１Ｄ】
2019531981.tif 000007
【図２】
2019531981.tif 000008
【図３】
2019531981.tif 000009
【図４】
2019531981.tif 000010
【図５】
2019531981.tif 000011
【図６】
2019531981.tif 000012
【図７】
2019531981.tif 000013
【図８】
2019531981.tif 000014
【図９】
2019531981.tif 000015
【図１０】
2019531981.tif 000016
【図１１】
2019531981.tif 000017
【図１２】
2019531981.tif 000018
【図１３Ａ】
2019531981.tif 000019
【図１３Ｂ】
2019531981.tif 000020
【国際調査報告】
2019531981.tif 000021
2019531981.tif 000022
2019531981.tif 000023